(57)【要約】      （修正有）【課題】球払出用回転体の下流に形成された第二供給通路を前後方向に湾曲させて不正行為を防止する構成を維持しつつ、湾曲部での球詰まりを有効に防止する手段の提供。【解決手段】球払出用回転体の下流に存在する第二供給通路Ｂ１１５０が鉛直方向（遊技機裏面）を基準として左右及び前後に屈曲するように構成されている弾球遊技機用のユニット化球払出機構。【選択図】図３１
2011245181.tif 000002
【特許請求の範囲】
【請求項１】
パチンコ遊技機の遊技領域とは反対面側である裏側に取り付けられる、遊技者に対して球払出を行うための球払出機構であって、
球払出機構は、
遊技球を流下させるための通路であって、遊技機の裏側に取り付けられた遊技球貯留部から流下してきた当該遊技球を受け入れる球導入口を有する第一供給通路と、
第一供給通路から流下してきた遊技球を保持するための球保持部が形成されている球払出用回転体と、
球払出用回転体を回転させるための球払出用モータと、
球払出用回転体が回転することにより球払出用回転体から払い出された遊技球を、球払出用回転体から更に流下させるための通路であって、当該球払出機構から当該遊技球を外部に供給する球供給口を有する第二供給通路と
を有しており、第一供給通路、球払出用回転体、球払出用モータ及び第二供給通路が一のユニット又は複数のユニットの組み合わせとして形成されているユニット化球払出機構において、
第二供給通路は、第二供給通路の遊技球流下方向に対して垂直に切断した断面における中点の軌跡が同一平面上にはない、遊技機の裏側から眺めた際に左右及び前後に屈曲した形状を成すことを特徴とするユニット化球払出機構。
【請求項２】
遊技機の裏側に取り付けられた遊技部品の陥入を可能とする、当該遊技部品との干渉を防止するための凹部が、遊技機の裏側への取り付け面側の、第二供給通路を内包する球払出用回転体よりも下方であり且つ取り付け時に当該遊技部品と対向する箇所に形成されている、請求項１記載のユニット化球払出機構。
【請求項３】
第一供給通路は、相互への遊技球の移動を禁止する遮断壁を介し隣接した形で、当該ユニット内に２条存在し、
球払出用回転体には、２条の第一供給通路から流下してきた遊技球を保持するための球保持部が、２条の第一供給通路のそれぞれと対応して形成されており、
当該ユニット化球払出機構内には、２条の第一供給通路の途中で球払出用回転体に向かう通路とは別に分岐した、２条の第一供給通路のそれぞれと連絡している２条の第一排出用通路が、更には、当該２条の第一排出用通路の下流に、これら２条の第一排出用通路が合流してなる１条の第二排出用通路が、更には、当該１条の第二排出用通路の下流に、１条の第二排出用通路からの遊技球がユニット化球払出機構外に排出される１個の球排出口が、それぞれ形成されており、
当該１条の第二排出用通路には、当該２条の第一排出用通路から流下してきた遊技球を当該１個の球排出口方向に流下させる傾斜部が形成されている、請求項１又は２記載のユニット化球払出機構。
【請求項４】
２条の第一排出用通路は、１条の第二排出用通路に合流する地点にて、１条の第二排出用通路の傾斜部に向けて遊技球を放出するための球放出口をそれぞれ有しており、一方の第一排出用通路の球放出口の設置箇所は、他方の第一排出用通路の球放出口のそれよりも、第二排出用通路に形成された傾斜部の上流側である、請求項３記載のユニット化球払出機構。
【発明の詳細な説明】
【技術分野】
【０００１】
本発明は、パチンコ遊技機の裏面に設けられた球タンクから流下した遊技球を受け取って球払出許可が下りるまで球払出用回転体上で待機させ、球払出許可が下りた場合に球払出用回転体を回転させて当該回転体から遊技球を放出することで、球皿に繋がる流路に遊技球を流下させる、パチンコ遊技機用のユニット化球払出機構に関する。
【背景技術】
【０００２】
パチンコ機は、遊技球を弾いて遊技球を遊技領域（遊技盤面上又はその近傍に形成された領域であって、遊技球の流下による遊技や演出を実現するための領域）に流下させ、その流下結果を楽しむ遊技機である。具体的には、遊技領域に放たれた遊技球は、その流下の過程で遊技球が遊技領域内の遊技釘や風車に衝突しつつ転回して流下方向が変化する。その結果、遊技領域上に配置された各種入賞口に遊技球が入賞すれば所定の賞球の払出しがされ、一方いずれの入賞口にも入賞せずアウト口に遊技球が流入すれば賞球の払出しはされない。遊技者は、弾球における自らの技量を発揮して、又は遊技球の流下における偶然性を利用しつつ遊技球の入賞及び賞球の払出しを期待し、遊技を楽しむのである。
【０００３】
ここで、パチンコ機の背面側には、遊技球を遊技領域に向けて発射する発射装置や、遊技者に向けて賞球を払出すための賞球払出ユニットや、遊技球の発射及び賞球の払出しを制御する制御手段等が配置されている。この制御手段は、遊技領域の入賞口に遊技球が入球したことを契機として、賞球払出ユニットを介して遊技者へ賞球の払出しを実行する。
【０００４】
これらの中で、賞球払出ユニットは、球タンクからの遊技球を導入するための球導入口を備えた第一供給通路と、第一供給通路から流下した遊技球を受け止めると共に、遊技球を保持する遊技球保持部を有する球払出用回転体（スプロケット）と、球払出用回転体を回転させるための球払出用モータ（例えばステッピングモータ）と、球払出用回転体が回転することにより保持された遊技球が放出された際、当該遊技球を賞球払出ユニットから外部（球皿に通じる流路）に供給する球供給口を備えた、球払出用回転体の下流に形成された第二供給通路と、から構成される。そして、この賞球払出ユニットは、パチンコ遊技機の裏面（遊技領域の裏側）に備え付けられた裏セット枠と称される各種遊技部品を取り付けるための枠体に取り付けられている。
【０００５】
このように、賞球が払い出される場合、遊技球は、球払出用回転体→第二供給通路→球皿、というルートを介して遊技者に供される。このような構成であるから、球皿から不正用部材（例えば、ピアノ線やセルロイド等の長尺部材）を挿入し、球払出用回転体を強制的に回転させることでの不正賞球払出行為が実行され得る。これを防止するため、特許文献１では、第二供給通路を前後方向に湾曲させることで、不正用部材を球払出用回転体まで到達させ難い構造としている（図５〜図８参照）。
【先行技術文献】
【特許文献】
【０００６】
【特許文献１】特許第４４３８０１９号
【発明の開示】
【発明が解決しようとする課題】
【０００７】
ところで、第二供給通路を前後方向に湾曲させる構成とした場合、第二供給通路内に複数の遊技球が連なって滞在している状況下では、特に湾曲部において球詰まりが発生し易くなってしまうという問題がある。特に、不正行為をより防止する観点からは、湾曲の程度を大きくすればよいが、その分球詰まりの発生頻度が高くなるというトレードオフの関係にある。そこで、本発明は、球払出用回転体の下流に形成された第二供給通路を前後方向に湾曲させて不正行為を防止する構成を維持しつつ、湾曲部での球詰まりを有効に防止する手段を提供することを第一の目的とする。
【０００８】
更に、第二供給通路内で複数の遊技球が連なって滞留している状況下では、遊技球同士は点接触状態にある。この際、遊技球は金属を原料として製造され、通常は略同一組成の金属を原料としている。ここで、僅かながらでも金属組成が異なった金属同士が接触状態にあると、特に湿度が高く接触部にて水分が存在する環境下では、僅かな相違でも金属の酸化還元電位の差に起因した局部電池が形成される結果、接触部での金属腐食が進行するという問題もある。そこで、本発明は、第二供給通路内で複数の遊技球が連なって滞留している状況下、遊技球が移動していく際に遊技球同士の点接触部を逐次異ならしめる手段を提供することを第二の目的とする。
【課題を解決するための手段】
【０００９】
本発明（１）は、パチンコ遊技機（パチンコ遊技機２）の遊技領域（遊技領域１６）とは反対面側である裏側に取り付けられる、遊技者に対して球払出を行うための球払出機構（賞球払出ユニット１００）であって、
球払出機構（賞球払出ユニット１００）は、
遊技球（遊技球２３）を流下させるための通路であって、遊技機（パチンコ遊技機２）の裏側に取り付けられた遊技球貯留部（球貯留タンク４０）から流下してきた当該遊技球（遊技球２３）を受け入れる球導入口（前流入口Ａ１１０１、後流入口Ａ１２０１）を有する第一供給通路（第１前供給通路Ａ１１０２、第１後供給通路Ａ１２０２）と、
第一供給通路（第１前供給通路Ａ１１０２、第１後供給通路Ａ１２０２）から流下してきた遊技球（遊技球２３）を保持するための球保持部（保持部Ａ１１０３−１、保持部Ａ１２０３−１）が形成されている球払出用回転体（回転体Ａ１００３）と、
球払出用回転体（回転体Ａ１００３）を回転させるための球払出用モータ（モータＡ１３１０）と、
球払出用回転体（回転体Ａ１００３）が回転することにより球払出用回転体（回転体Ａ１００３）から払い出された遊技球（遊技球２３）を、球払出用回転体（回転体Ａ１００３）から更に流下させるための通路であって、当該球払出機構（賞球払出ユニット１００）から当該遊技球（遊技球２３）を外部に供給する球供給口（流出口Ｂ１１６０）を有する第二供給通路（第２供給通路Ｂ１１５０）と
を有しており、第一供給通路（第１前供給通路Ａ１１０２、第１後供給通路Ａ１２０２）、球払出用回転体（回転体Ａ１００３）、球払出用モータ（モータＡ１３１０）及び第二供給通路（第２供給通路Ｂ１１５０）が一のユニット又は複数のユニット（上構成部Ａ１０００、下構成部Ｂ１０００）の組み合わせとして形成されているユニット化球払出機構（賞球払出ユニット１００）において、
第二供給通路（第２供給通路Ｂ１１５０）は、第二供給通路（第２供給通路Ｂ１１５０）の遊技球（遊技球２３）流下方向に対して垂直に切断した断面における中点の軌跡が同一平面上にはない、遊技機（パチンコ遊技機２）の裏側から眺めた際に左右及び前後に屈曲した形状を成すことを特徴とするユニット化球払出機構（賞球払出ユニット１００）である。
【００１０】
本発明（２）は、遊技機（パチンコ遊技機２）の裏側に取り付けられた遊技部品（遊技部品α）の陥入を可能とする、当該遊技部品（遊技部品α）との干渉を防止するための凹部が、遊技機（パチンコ遊技機２）の裏側への取り付け面側の、第二供給通路（第２供給通路Ｂ１１５０）を内包する球払出用回転体（回転体Ａ１００３）よりも下方であり且つ取り付け時に当該遊技部品（遊技部品α）と対向する箇所に形成されている、前記発明（１）のユニット化球払出機構（賞球払出ユニット１００）である。
【００１１】
本発明（３）は、第一供給通路（第１前供給通路Ａ１１０２、第１後供給通路Ａ１２０２）は、相互への遊技球（遊技球２３）の移動を禁止する遮断壁（中央構成部材Ａ１１２１、中央構成部材Ａ１２１１）を介し隣接した形で、当該ユニット（賞球払出ユニット１００）内に２条存在し、
球払出用回転体（回転体Ａ１００３）には、２条の第一供給通路（第１前供給通路Ａ１１０２、第１後供給通路Ａ１２０２）から流下してきた遊技球（遊技球２３）を保持するための球保持部（保持部Ａ１１０３−１、保持部Ａ１２０３−１）が、２条の第一供給通路（第１前供給通路Ａ１１０２、第１後供給通路Ａ１２０２）のそれぞれと対応して形成されており、
当該ユニット化球払出機構（賞球払出ユニット１００）内には、２条の第一供給通路（第１前供給通路Ａ１１０２、第１後供給通路Ａ１２０２）の途中で球払出用回転体（回転体Ａ１００３）に向かう通路とは別に分岐した、２条の第一供給通路（第１前供給通路Ａ１１０２、第１後供給通路Ａ１２０２）のそれぞれと連絡している２条の第一排出用通路（前誘導路Ａ１００４−２、後誘導路Ａ１００４−３）が、更には、当該２条の第一排出用通路（前誘導路Ａ１００４−２、後誘導路Ａ１００４−３）の下流に、これら２条の第一排出用通路（前誘導路Ａ１００４−２、後誘導路Ａ１００４−３）が合流してなる１条の第二排出用通路（合流路Ａ１００４−１）が、更には、当該１条の第二排出用通路（合流路Ａ１００４−１）の下流に、１条の第二排出用通路（合流路Ａ１００４−１）からの遊技球（遊技球２３）がユニット化球払出機構（賞球払出ユニット１００）外に排出される１個の球排出口（排出口Ａ１００４−５）が、それぞれ形成されており、
当該１条の第二排出用通路（合流路Ａ１００４−１）には、当該２条の第一排出用通路（前誘導路Ａ１００４−２、後誘導路Ａ１００４−３）から流下してきた遊技球（遊技球２３）を当該１個の球排出口（排出口Ａ１００４−５）方向に流下させる傾斜部（スロープ部Ａ１００４−４）が形成されている、前記発明（１）又は（２）のユニット化球払出機構（賞球払出ユニット１００）である。
【００１２】
本発明（４）は、２条の第一排出用通路（前誘導路Ａ１００４−２、後誘導路Ａ１００４−３）は、１条の第二排出用通路（合流路Ａ１００４−１）に合流する地点にて、１条の第一排出用通路（合流路Ａ１００４−１）の傾斜部（スロープ部Ａ１００４−４）に向けて遊技球（遊技球２３）を放出するための球放出口をそれぞれ有しており、一方の第一排出用通路（後誘導路Ａ１００４−３）の球放出口の設置箇所は、他方の第一排出用通路（前誘導路Ａ１００４−２）の球放出口のそれよりも、第二排出用通路（合流路Ａ１００４−１）に形成された傾斜部（スロープ部Ａ１００４−４）の上流側である、前記発明（３）のユニット化球払出機構（賞球払出ユニット１００）である。
【００１３】
ここで、本特許請求の範囲及び本明細書における各用語の意義について説明する。「流下」とは、遊技球に働く重力により遊技球が自由落下することのみならず、球体としての遊技球が自重により傾斜面を転がり落ちること、或いは重力以外の外力が遊技球に働くことによる慣性の法則に基づく落下運動等、あらゆる落下運動のことを意味する。「流下方向に対して垂直に」とは、あらゆる落下運動における運動方向ベクトルに対して垂直という意味であり、特に遊技球が自重により傾斜面を転がり落ちる場合においては、該傾斜面に対して垂直であることと同義である。「切断した断面における中点」とは、遊技球が転がり落ちる傾斜面が筒状に形成されていた場合における筒状断面の中心点のことを意味する。「遊技部品」とは、機械部品や電子部品のような明確な機能的役割を有する部品のみならず、遊技機製造上の都合による単なる突起物のようなものも意味する。
【発明の効果】
【００１４】
本発明（１）では、球払出用回転体の下流に存在する第二供給通路が鉛直方向（遊技機裏面）を基準として左右及び前後に屈曲するように構成されている。即ち、第二供給通路に遊技球が詰まっている状況下である遊技球に着目した際、球払出機構を正面（或いは裏面）から眺めた場合には、当該ある遊技球の真上に存在する遊技球の重心が当該ある遊技球の重心よりも左（又は右）となり、更には、球払出機構を横から眺めた場合には、当該ある遊技球の真上に存在する遊技球の重心が当該ある遊技球の重心よりも前側（又は後側）となるように作用する。この結果、本発明（１）によれば、上下に重なる遊技球の重心が一致する又は二次元的にしか重心が分散していない従来技術と比較し、球圧を三次元的（鉛直下向き方向、左右方向、前後方向）に分散できる結果、球圧が集中して遊技球に印加されることに起因した、特に湾曲部で発生する球噛みや球詰まりを有効に防止できるという効果を奏する。
【００１５】
更に、第二供給通路に遊技球が詰まっている状況下で当該ある遊技球が下方に落下した場合、慣性の法則により、当該ある遊技球の真上に存在する遊技球は一瞬当該地点に留まる結果、落下した当該ある遊技球と当該ある遊技球の真上に存在する遊技球との間に一瞬隙間が出来、若干のタイムラグを経て、当該ある遊技球の真上に存在する遊技球は自重により当該ある遊技球上に落下する。この場合、前述のような重心のずれに基づき、当該ある遊技球は、当該ある遊技球の真上に存在する遊技球が落下する衝撃力により、左右方向での回転モーメントと前後方向での回転モーメントの両方が付与されることになる。この結果、当該ある遊技球は流路内を僅かながら左右方向及び前後方向を回転しながら移動していくことになる。この結果、本発明（１）によれば、第二供給通路に遊技球が詰まっている状況下で徐々に遊技球が排出されていく際、上下方向に存在する遊技球と常に略同一の接触箇所となる事態を回避できるため、湿気のある環境下での局部電池形成に由来した、特定箇所のみの集中的な腐蝕を防止することができるという効果をも奏する。
【００１６】
本発明（２）によれば、前記効果に加え、ユニット化球払出機構の裏面（設置時に遊技機裏面と対向する面）側に凹部が形成されているように構成されているので、遊技機の裏側に遊技部品が存在しているとしても、当該遊技部品が凹部に陥入する結果、取り付けられた遊技部品と干渉すること無くユニットを取り付けることができるという効果を奏する。
【００１７】
本発明（３）によれば、前記効果に加え、球払出用回転体の上流に残留する遊技球を強制的に排出させる排出経路として、２条の第一供給通路から分岐した２条の第一排出用通路が形成され、当該２条の第一排出用通路が合流して１条の第二排出用通路が形成され、且つ、第二排出用通路には１個の球排出口に向かう傾斜部が形成されているので、２条の排出用通路に対応した２個の球排出口が形成された従来技術と比較し、球排出口の面積を小さくすることができると共に、２条の第一排出通路から１条の排出通路の傾斜部に放出された遊技球に対しては遊技球自身の自重により排出口への力が印加される結果、２条の第一排出通路の合流部での球詰まりを防止することも可能になるという効果をも奏する。
【００１８】
本発明（４）によれば、前記効果に加え、第二排出用通路の傾斜部に向けて放出される遊技球の位置が２条の第一排出用通路毎に異なるように構成されており、排出口から相対的に離間している側の第一排出用通路を傾斜部の上流に設けることで、上流から排出される遊技球に自身の自重による相対的に大きな力が印加される結果、２条の第一排出通路の合流部での球詰まりを更に防止することが可能になるという効果を奏する。
【図面の簡単な説明】
【００１９】
【図１】本発明の実施形態に係るパチンコ機の正面図である。
【図２】本発明の実施形態に係るパチンコ機の背面図である。
【図３】図２に示す状態からカバー部材と遊技盤ユニットを外した状態の、本発明の実施形態に係る背面図である。
【図４】右後方から視認した、本発明の実施形態に係るパチンコ機の賞球払出ユニット部分の拡大斜視図である。
【図５】右後方から視認した、本発明の実施形態に係るパチンコ機の賞球払出ユニット部分の拡大斜視図である。
【図６】本発明の実施形態に係る賞球払出ユニットの拡大斜視図である。
【図７】本発明の実施形態に係る賞球払出ユニットの上構成部を右前方から視認した斜視図である。
【図８】本発明の実施形態に係る賞球払出ユニットの上構成部における分解斜視図である。
【図９】本発明の実施形態に係る賞球払出ユニットの上構成部における前側面図である。
【図１０】本発明の実施形態に係る賞球払出ユニットの上構成部における後側面図である。
【図１１】本発明の実施形態に係る賞球払出ユニットの上構成部における左側面図である。
【図１２】本発明の実施形態に係る賞球払出ユニットの上構成部における右側面図である。
【図１３】本発明の実施形態に係る賞球払出ユニットの上構成部における回転体の拡大斜視図である。
【図１４】本発明の実施形態に係る賞球払出ユニットの上構成部における遊技球流下調整機能の機能動作図である。
【図１５】本発明の実施形態に係る賞球払出ユニットの上構成部における球流路を左前方から視認した拡大斜視図（特に上構成部に貯留された遊技球が排出される際の様子を示した図）である。
【図１６】本発明の実施形態に係る賞球払出ユニットの上構成部のおける切替弁及び操作部材の拡大斜視図である。
【図１７】本発明の実施形態に係る賞球払出ユニットの上構成部における遊技球排出機能の機能動作図（通常時）である。
【図１８】本発明の実施形態に係る賞球払出ユニットの上構成部における遊技球排出機能の機能動作図（排出時）である。
【図１９】従来技術に係るパチンコ遊技機における、上構成部での球詰まりの際の球排出に係る作用説明図である。
【図２０】本発明の実施形態に係るパチンコ遊技機における本発明の作用説明図である。
【図２１】本発明の実施形態（より好適な形態）に係るパチンコ遊技機における本発明の作用説明図である。
【図２２】本発明の実施形態に係るパチンコ遊技機における本発明の作用説明図である。
【図２３】本発明の実施形態に係るパチンコ遊技機における本発明の作用説明図である。
【図２４】本発明の実施形態に係る賞球払出ユニットの下構成部を右前方から視認した斜視図である。
【図２５】本発明の実施形態に係る賞球払出ユニットの下構成部における分解斜視図である。
【図２６】本発明の実施形態に係る賞球払出ユニットの下構成部における前側面図である。
【図２７】本発明の実施形態に係る賞球払出ユニットの下構成部における後側面図である。
【図２８】本発明の実施形態に係る賞球払出ユニットの下構成部における左側面図である。
【図２９】本発明の実施形態に係る賞球払出ユニットの下構成部における右側面図である。
【図３０】本発明の実施形態に係る賞球払出ユニットの下構成部における球通路の概念図である。
【図３１】本発明の実施形態に係る賞球払出ユニットの下構成部における遊技球放出機能の機能動作図である。
【図３２】本発明の実施形態に係るパチンコ遊技機における、本発明の作用説明図である。
【図３３】本発明の実施形態に係るパチンコ遊技機における、本発明の作用説明図である。
【図３４】本発明の実施形態に係るパチンコ遊技機の機能ブロック図である。
【図３５】本発明の実施形態に係るパチンコ遊技機のメイン制御基板及び払出制御基板間で送受信されるコマンド及び情報の内容を示した図である。
【図３６】本発明の実施形態に係るパチンコ遊技機における、主制御基板側で実行する処理のフローチャートである。
【図３７】本発明の実施形態に係るパチンコ遊技機における、未払出賞球（賞球払出コマンド送信前）管理処理のフローチャートを示したものである。
【図３８】本発明の実施形態に係るパチンコ遊技機における、対払出制御基板送信制御処理のフローチャートを示したものである。
【図３９】本発明の実施形態に係るパチンコ遊技機における、対払出制御基板受信制御処理のフローチャートを示したものである。
【図４０】本発明の実施形態に係るパチンコ遊技機における、エラー時対応制御処理のフローチャートを示したものである。
【図４１】本発明の実施形態に係るパチンコ遊技機における、払出制御基板におけるメインルーチンを示すフローチャートである。
【図４２】本発明の実施形態に係るパチンコ遊技機における、賞球払出関連情報受信処理（対主制御基板）のフローチャートである。
【図４３】本発明の実施形態に係るパチンコ遊技機における、賞球払出制御処理のフローチャートである。
【図４４】本発明の実施形態に係るパチンコ遊技機における、エラー判定・エラー時対応制御処理のフローチャートである。
【発明を実施するための形態】
【００２０】
（全体構成説明）
以下、本発明の実施形態について図面を用いて説明する。まず、本発明の実施の形態に係る遊技機は、パチンコ式スロットマシン機、コインゲーム機等のアーケードマシン、各種ゲーム機を概念することができ、要するに、遊技媒体の流下による遊技を実現する遊技領域を有するあらゆる遊技機が含まれる。なお、パチンコ遊技機においても、アレンジボール機、雀球機等の組合せ式パチンコ機、いわゆるデジパチタイプ（１種タイプ）やハネモノタイプ（２種タイプ）のパチンコ機等のあらゆるパチンコ遊技機が概念できるが、本実施の形態においては、デジパチ遊技（１種遊技、図柄変動遊技ともいう。）を実現する所謂１種タイプのパチンコ遊技機について例示説明する。なお、図柄変動遊技については後述する。
【００２１】
（全体構成説明／遊技機構成部材説明）
まず、本実施の形態において例示説明する所謂１種タイプのパチンコ遊技機の構成部材について説明する。パチンコ遊技機の構成部材は、遊技機正面側に配される部材と遊技機背面側に配される部材とに大きく分かれている。遊技機正面側に配される部材は、主に遊技者によって視認される部材であり、（１）遊技機筐体を構成する部材、（２）遊技進行の用途として遊技者によって操作される部材、（３）遊技媒体の流下による遊技を実現する部材、（４）遊技の進行状況を報知する部材、等が挙げられる。対して遊技機背面側に配される部材は、主にホール営業者によって視認される部材であり、（１）遊技機筐体を構成する部材、（２）遊技機管理の用途としてホール営業者によって操作される部材、（３）遊技の進行を電気的に制御する部材、（４）遊技媒体の循環を制御する部材、等が挙げられる。
【００２２】
（全体構成説明／遊技機構成部材説明／遊技機外観）
＜遊技機正面側外観＞
図１は、本発明の実施の形態に係る遊技機枠ユニットを備えるパチンコ遊技機２の正面図である。このパチンコ遊技機２は、遊技機枠３、遊技盤ユニット５、ガラス１０、発射ユニット（不図示）、球皿１４を有している。発射ユニットは、１個ずつ遊技球２３を遊技盤ユニット５に構成される遊技領域１６に向けて発射可能である。パチンコ遊技機２は、遊技者が後述する発射装置ハンドル１５を操作することによって、遊技領域１６に向けて遊技球２３が発射ユニットによって発射され、遊技球２３の流下による遊技が実現される。以下、図１を参照しながら説明する。
【００２３】
＜（１）遊技機筐体を構成する部材＞
パチンコ遊技機２の遊技機枠３は、後述する遊技盤ユニット５を保持するためのもので、このパチンコ遊技機２の周囲側面及び前方又はそれに加えて後方を囲むように構成される。遊技機枠３の内部側には、遊技盤ユニット５の他にも後述する各種制御基板や遊技媒体用の経路等各種機構部品が配置され、遊技機枠３によって周囲側面及び前方又はそれに加えて後方からのパチンコ遊技機２内部側への不正アクセスが防止されるようになっている。
【００２４】
パチンコ遊技機２の周囲を囲む外枠４、その内側にヒンジ２２によって前方開閉可能に揺動支持されて遊技盤ユニット５を保持する前枠９、前枠９の前方にヒンジ２２によって前方開閉可能に揺動支持されガラス１０及びその周囲を装飾する装飾部材３２を保持するガラス枠１２、を有して遊技機枠３が構成される。なお、ガラス１０は、遊技機枠３内部側に保持された遊技盤６を前方から遊技者が視認することができるようにするための透明部材である。遊技機枠ユニットは、遊技盤ユニット５を保持する前枠９と、後述する賞球払出ユニット１００と、によって構成されている。
【００２５】
ガラス１０は、遊技盤６に対して一定距離以上離間して配置された透明板である。ガラス１０は、２枚の透明平板ガラスで形成されてガラス枠１２の裏面側に保持され、遊技盤６との間に遊技球２３が流下する流下空間を形成する機能、遊技者がガラス１０を通して遊技盤６を視認できるように視認性を確保する機能、遊技者が遊技盤６に不正にアクセス（接触）できないように不正アクセスを防止する機能、を発揮する。
【００２６】
＜（２）遊技進行の用途として遊技者によって操作される部材＞
球皿１４は、遊技者の持ち球を貯留するためにパチンコ遊技機２の前面に配置された皿部材であって、本実施の形態においては上球皿１４ａと下球皿１４ｂとを有している。上球皿１４ａは、球抜き部材１４ｃを有して遊技盤６の下方、すなわちガラス枠１２の下方部分に配置され、下球皿１４ｂは、その上球皿１４ａの更に下方に配置されている。ここで、球皿１４は、後述する遊技機背面側に配される部材である賞球供給通路４１を介して、賞球払出ユニット１００と連通しており、賞球払出ユニット１００から流下する遊技球２３が球皿１４まで流下到達するよう構成されている。
【００２７】
発射ユニットは、球送り装置（不図示）によって球皿１４の一部としての上球皿１４ａから発射位置に送り出された遊技球２３を遊技領域１６の上部に向けて発射（弾球）するためのものである。発射ユニットは、例えば発射位置の遊技球２３を弾球する発射杆、その発射杆を駆動する発射モータ、発射杆を付勢して弾球力を発生させる発射バネ等を有してユニット構成され、前枠９に取り付けられている。その発射ユニットによる球発射のため、遊技者の操作に基づいて球発射のオンオフ及びその発射強度調整を実現する発射装置ハンドル１５がパチンコ遊技機２の前面下方に設けられている。
【００２８】
＜（３）遊技媒体の流下による遊技を実現する部材＞
遊技盤ユニット５は、遊技盤面６ａ側の略中央に遊技役物としてのセンター役物７が配置された遊技盤６を有しており、その遊技盤面６ａには多数の遊技釘２７も配置されている。センター役物７の中央部には、画像表示手段としての演出表示装置７ａが配置されると共に、この演出表示装置７ａの表示部７ｂを露出させるための表示開口部７ｄが形成されている。
【００２９】
遊技盤６は、その表面側に遊技球２３の流下による遊技を実現するための遊技領域１６を構成するための盤状部材であり、遊技盤６を前方から遊技者にとって視認可能となるように遊技機枠３（本実施の形態においては、遊技機枠３の一部としての前枠９。）に保持されている。その遊技盤６の表面には略円形状に周囲を囲むようにレール飾り２６が取り付けられており、レール飾り２６の外レール２６ａが遊技盤に対して立設するように配置されている。そして、レール飾り２６の外レール２６ａによって画定され、外レール２６ａに面した略円形状の領域が遊技領域１６となっている。
【００３０】
遊技釘２７は、遊技領域１６を流下する遊技球２３と衝突してその流下方向を変更させる流下変更部材であり、多数が遊技領域１６内に配置されている。また、遊技領域１６には、普通入賞口２８、始動入賞口２９、大入賞口３１等の入球部材及びアウト口３０が配置されている。更に、遊技領域１６には、ゲート３３、風車３４等が配置されており、流下する遊技球２３が各入球部材に流入したり、ゲート３３を通過したり、風車３４を回転させたりすることによって、遊技球２３による流下遊技を楽しむことができるようになっている。
【００３１】
尚、図示しない球発射装置により遊技球２３が発射されると、遊技球２３はレール飾り２６の外レール２６ａに沿いつつ進行して遊技領域１６内の上部に至る。その後、遊技球２３は、複数の通過軌跡に沿って移動し、あるものはレール飾り２６の外レール２６ａに沿って右側に移動し、あるものは遊技釘２７に衝突しつつ遊技領域１６内を下方に流下し、あるものは普通入賞口２８に流入して一定賞球数の払出しの契機となり、あるものはいずれの入球装置にも流入せずに遊技領域１６内最下部に位置するアウト口３０に流入してアウト球としてパチンコ遊技機２の外部側へと排出されることとなる。
【００３２】
＜（４）遊技の進行状況を報知する部材＞
センター役物７は、演出表示装置７ａの周囲を覆うように構成されており、図柄変動遊技（１種遊技）を実現するものである。センター役物７の上部には、図柄表示手段としての第１図柄（特別図柄)表示装置１７が配置されると共に、センター役物７の中央部には、演出表示装置７ａが配置されている。
【００３３】
第１図柄表示装置１７には、抽選手段の抽選結果である第１図柄１７ａの変動が表示される。第１図柄は、始動入賞口２９への遊技球２３の入球を契機として実行される抽選の結果に対応した図柄である。第１図柄の変動表示が所定の当選態様で停止することにより第１特別遊技としての大当りが発生する。
【００３４】
演出表示装置７ａは、例えば、液晶表示装置・有機ＥＬディスプレイ・ＬＥＤ等により構成されて遊技者が遊技盤面６ａ側から視認可能となるように配置され、その表示部７ｂ上に映像表示を行うものである。この演出表示装置７ａの表示部７ｂには、第１図柄に連動する表示図柄（第１装飾図柄）７ｃの表示がなされる。表示図柄は、第１抽選手段の抽選結果を視覚的に演出するための図柄であり、第１の遊技に対応する。また、例えば、キャラクター等によるストーリー仕立ての映像としての演出映像も表示部７ｂ上に表示されるようになっている。演出表示装置７ａには、遊技制御手段としての演出制御基板が中継基板を介して電気的に接続されており、演出制御基板によって画像表示が制御される。
【００３５】
尚、図柄変動遊技中に遊技球２３が始動入賞口２９に流入すると、その流入に起因して演出表示装置７ａの表示図柄７ｃが回転表示（第１の特別遊技の抽選）を開始し、その表示図柄７ｃが所定の図柄（例えば、「７・７・７」。）で停止表示すれば、図柄変動遊技における大当り（第１の特別遊技。以下、図柄変動大当りという。）が発生する。そして、大入賞口３１が開放して多量の入賞球を受け入れ、多量の賞球が球皿１４へと払い出されることとなる。
【００３６】
＜遊技機背面側外観＞
図２は、本発明の実施の形態に係る遊技機枠ユニットを備えるパチンコ遊技機２の背面図である。遊技盤６の裏面側には、主制御手段（主制御基板）２００を収容した主制御基板ケース３５と、演出制御手段（演出制御基板）２２０を収容した演出制御基板ケース３６と、払出制御手段（払出制御基板）２３０を収容した払出制御基板ケース３７と、電源手段（図示せず）を収容した電源基板ケース３８と、が配置されている。この各制御基板ケースに収容された各制御手段によって遊技が実現される。主制御基板ケース３５と演出制御基板ケース３６とは、遊技盤ユニット５の後面に装着されており、遊技盤ユニット５と共に前枠９に対して着脱自在に構成されている。更に、遊技盤６の裏面側には、パチンコ遊技機２の遊技状態等の遊技情報を外部に出力するための外部出力端子板３９が設けられている。また、パチンコ遊技機２の背面側には、演出制御基板ケース３６及び賞球払出ユニット１００の一部を覆うカバー部材４２が設けられている。以下、図２を参照しながら説明する。
【００３７】
＜（１）遊技機筐体を構成する部材＞
主制御基板ケース３５、演出制御基板ケース３６、払出制御基板ケース３７及び電源基板ケース３８は、合成樹脂を素材として各制御基板全体を略包含するよう成型されており、内包される各制御基板を防塵気密に保つことができる。また、必要に応じてかしめ（コーキング）を施すことにより、容易なケース開封を防止し各制御基板への不正アクセスを防止するよう構成されている。
【００３８】
＜（２）遊技機管理の用途としてホール営業者によって操作される部材＞
電源手段は、遊技機２の電源をＯＮ／ＯＦＦに切り替えるための電源操作スイッチ（図示せず）を備えており、電源基板ケース３８外に該スイッチの操作部を露出させることで、電源のＯＮ／ＯＦＦを操作できるよう構成されている。主制御手段２００は、基板上に搭載されたＲＡＭ（記憶装置）内に保有されている遊技状態等に関する情報をクリア（ＲＡＭクリア）するためのＲＡＭクリアスイッチ（図示せず）を備えており、主制御基板ケース３５外に該スイッチの操作部を露出させることで、ＲＡＭクリアの可否を操作できるよう構成されている。演出制御手段２２０は、基板上に搭載されたＲＡＭ（記憶装置）内に保有されている演出映像等に関する情報を初期化（サブリセット）するためのサブリセットスイッチ（図示せず）を備えており、演出制御基板ケース３６外に該スイッチの操作部を露出させることで、サブリセットの可否を操作できるよう構成されている。
【００３９】
＜（３）遊技の進行を電気的に制御する部材＞
主制御手段２００は、パチンコ遊技機２の動作全体を制御し、主に始動入賞口２９への遊技球２３の入球を契機とした大当たり抽選処理、第１図柄表示装置１７への第１図柄１７ａの変動表示処理、始動入賞口２９や大入賞口３１への遊技球２３の入球を契機とした賞球払出決定処理、等を実行する。演出制御手段２２０は、演出表示装置７ａの画像表示等の演出を制御し、主に主制御手段２００での大当たり抽選処理を契機とした第１図柄に連動する表示図柄（第１装飾図柄）７ｃの選択抽選処理、表示部７ｂ上に表示される演出映像の選択抽選処理、演出映像を構成するキャラクター画像や背景画像の表示部７ｂ上への出力表示処理、等を実行する。払出制御手段２３０は、主制御手段２００での賞球払出決定処理を契機とし、後述する賞球払出ユニット１００による賞球の払出を制御する。尚、主制御手段２００、演出制御手段２２０、払出制御手段２３０の機能及び処理内容の詳細については後述する。
【００４０】
＜（４）遊技媒体の循環を制御する部材＞
パチンコ遊技機２の背面には、パチンコ遊技機２が設置されるホールの設備から供給された遊技球２３を一時的に貯留するための遊技球貯留装置としての球貯留タンク４０と、球貯留タンク４０から流入する遊技球２３を賞球払出ユニット１００に向かって導くタンクレール４３と、タンクレール４３から流入する遊技球２３を１球ずつ通過させる賞球払出ユニット１００と、賞球払出ユニット１００を通過した遊技球２３を球皿１４に向かって導く賞球供給通路４１と、を備えている。
【００４１】
賞球払出ユニット１００は、後述する払出制御手段２３０によって駆動制御されるように構成されており、各種入賞口への遊技球２３の入球や、遊技者からの遊技球２３の貸出し要求に応じて、遊技者に遊技球２３を供給するように構成されている。本実施の形態では、各種入賞口への遊技球２３の入球に基づく賞球の払出処理について例示説明する。この賞球払出ユニット１００については後述する。
【００４２】
（全体構成説明／遊技機構成部材説明／遊技機内部機構）
＜遊技機背面側内部機構＞
次に、図３から図３３に基づいて実施の形態に係るパチンコ遊技機２の内部機構、特に賞球払出ユニット１００について詳細に説明する。図３は、図２に示すパチンコ遊技機２から背面を覆うカバー部材４２と遊技盤ユニット５とを外した状態の背面図である。図３に示されるように、賞球払出ユニット１００は、パチンコ遊技機２の左辺部に設置されており、球貯留タンク４０に貯留されている遊技球２３をタンクレール４３によって左方向へ迂回させ、賞球払出ユニット１００に導くよう構成されている。
【００４３】
図４及び図５は、図３に示すパチンコ遊技機２の賞球払出ユニット１００部分を右後方から視認した拡大斜視図である。賞球払出ユニット１００は、遊技盤６を内包する前枠９に対して着脱自在に装着されている。尚、本最良形態では賞球払出ユニット１００を前枠に装着するように構成したが、これには何ら限定されず、前枠の裏面に開閉可能に取り付けられている裏セット機構枠に装着するように構成してもよい。ここで、図４は、前枠９に装着された状態を示しており、図５は、前枠９から取り外した状態を示している。ここで、本実施の形態においては、図示されるように、前枠９における賞球払出ユニット１００の装着面には遊技部品α（図５参照）が設置されているため、賞球払出ユニット１００内の遊技球２３の流路を前後方向に大きく湾曲させる必要がある。この遊技部品αには、機械部品や電子部品のようなものを概念することができるが、前枠９と一体成型されているものも概念することができる。例えば、所謂セルロイドゴトやピアノ線ゴトと称される不正行為を防止するための不正防止用の突起部材であり、球皿１４から賞球経路４１に向けて侵入させたセルロイドやピアノ線を、後述する賞球払出ユニット１００回転体（スプロケット）１４１まで到達させることを防ぐことで、不正に賞球を払い出させる行為を防止するような部品である。
【００４４】
＜賞球払出ユニット内部機構＞
図６は、図４及び図５に示される賞球払出ユニット１００を、更に拡大した拡大斜視図である。本実施の形態では、賞球払出ユニット１００は、上構成部Ａ１０００と下構成部Ｂ１０００に大きく分かれており、上構成部Ａ１０００と下構成部Ｂ１０００とをネジ等の接合部材によって分離可能に一体固定されている。賞球払出ユニット１００の上構成部Ａ１０００は、（１）賞球払出個数分の遊技球２３を１個ずつ流下させる遊技球流下調整機能と、（２）球貯留タンク４０及びタンクレール４３に堆積している遊技球２３をパチンコ遊技機２外へ排出する遊技球排出機能と、を主に発揮する。賞球払出ユニット１００の下構成部Ｂ１０００は、（１）上構成部Ａ１０００の遊技球流下調整機能によって一定間隔で流下する遊技球２３の個数を計数する遊技球計数機能と、（２）賞球経路４１に向けて遊技球２３を放出する遊技球放出機能を主に発揮する。尚、これ以外の機能、例えば、回転体（スプロケット）上流側での球詰まりを検知する球詰まり検知機能（例えば球詰まり検知センサ）を設ける等、他の機能を備えていてもよい。
【００４５】
＜賞球払出ユニット内部機構／上構成部＞
図７は、賞球払出ユニット１００の上構成部Ａ１０００を右前方から視認した斜視図及び分解斜視図である。賞球払出ユニット１００の上構成部Ａ１０００は、正面視における前側部分を構成する前構成部材Ａ１１００と、後側部分を構成する後構成部材Ａ１２００と、後述するモータやモータ駆動基板を内包するカバー構成部材Ａ１３００、によって構成されている。
【００４６】
図８は、賞球払出ユニット１００の上構成部Ａ１０００の分解斜視図である。前構成部材Ａ１１００は、正面視における前側部分を構成する前構成前部材Ａ１１１０と、後側部分を構成する前構成後部材Ａ１１２０と、によって構成されている。後構成部材Ａ１２００は、正面視における前側部分を構成する後構成前部材Ａ１２１０と、後側部分を構成する後構成後部材Ａ１２２０と、によって構成されている。
【００４７】
図９及び図１０は、賞球払出ユニット１００の上構成部Ａ１０００における前側面図及び後側面図である。賞球払出ユニット１００の上構成部Ａ１０００における上面Ａ１００１には、タンクレール４３を介して球貯留タンク４０から供給された遊技球２３が流入する２つの流入口が形成されており、各流入口の下流には各々供給通路が配置されている。
【００４８】
流入口は、前側に位置する前流入口Ａ１１０１（図９参照）と、後側に位置する後流入口Ａ１２０１（図１０参照）と、を有する。前流入口Ａ１１０１から流入した遊技球２３は、後述する第１前供給通路Ａ１１０２に流入し、後流入口Ａ１２０１から流入した遊技球２３は、後述する第１後供給通路Ａ１２０２に流入する。
【００４９】
第１前供給通路Ａ１１０２と第１後供給通路Ａ１２０２は、前後方向に隣接した２列（２条）の球通路であり、第１前供給通路Ａ１１０２と第１後供給通路Ａ１２０２との間には、中央構成部材Ａ１１２１及びＡ１２１１が配置されている。中央構成部材Ａ１１２１は、前構成後部材Ａ１１２０の後側壁面部であり（図９参照）、中央構成部材Ａ１２１１は、後構成前部材Ａ１２１０の前側壁面部である（図１０参照）。図９に示すように、中央構成部材Ａ１１２１は、第１前供給通路Ａ１１０２と第１後供給通路Ａ１２０２との間に配置される仕切り部Ａ１１２１−１と、仕切り部Ａ１１２１−１の右側面及び左側面から突設した突起壁部と、Ａ１１２１−１の右側面と左側面の略中央から起伏した起伏部と、を有する。また、図１０に示すように、中央構成部材Ａ１２１１は、第１後供給通路Ａ１２０２と第１前供給通路Ａ１１０２との間に配置される仕切り部Ａ１２１１−１と、仕切り部Ａ１２１１−１の右側面及び左側面から突設した突起壁部と、Ａ１２１１−１の右側面と左側面の略中央から起伏した起伏部と、を有する。尚、突起壁部と起伏部は仕切り部と一体成型されている。
【００５０】
図９に示すように、中央構成部材Ａ１１２１における突起壁部は、仕切り部Ａ１１２１−１から前方（前構成前部材Ａ１１１０側）に向かって突出した前突起壁部Ａ１１２１−２を有する。また、図１０に示すように、中央構成部材Ａ１２１１における突起壁部は、仕切り部Ａ１２１１−１から後方（後構成後部材Ａ１２２０側）に向かって突出した後突起壁部Ａ１２１１−２を有する。前突起壁部Ａ１１２１−２の前端部（図示せず）は、前構成前部材Ａ１１１０の内壁面（図示せず）と略当接しており、前突起壁部Ａ１１２１−２と前構成前部材Ａ１１１０及び仕切り部Ａ１１２１−１とによって囲まれた空間が第１前供給通路Ａ１１０２となる。また、後突起壁部Ａ１２１１−２の後端部（図示せず）は、後構成後部材Ａ１２２０の内壁面（図示せず）と略当接しており、後突起壁部Ａ１２１１−２と後構成後部材Ａ１２２０及び仕切り部Ａ１２１１−１とによって囲まれた空間が第１後供給通路Ａ１２０２となる。ここで、前突起壁部Ａ１１２１−２の左側壁部及び後突起壁部Ａ１２１１−２の左側壁部は、夫々の供給通路と後述する排出通路Ａ１００４との分岐点で途切れ、前突起壁部下端Ａ１１２１−２ａ及び後突起壁部下端Ａ１２１１−２ａとなる。尚、前突起壁部下端Ａ１１２１−２ａ及び後突起壁部下端Ａ１２１１−２ａについては後述する。
【００５１】
図９に示すように、中央構成部材Ａ１１２１における起伏部は、仕切り部Ａ１１２１−１から前方（前構成前部材Ａ１１１０側）に向かって起伏（直立）した前起伏部Ａ１１２１−３を有する。また、図１０に示すように、中央構成部材Ａ１２１１における起伏部は、仕切り部Ａ１２１１−１から後方（後構成後部材Ａ１２２０側）に向かって起伏した後起伏部Ａ１２１１−３を有する。前起伏部Ａ１１２１−３の前方向に対向する位置の前構成前部材Ａ１１１０の内壁面には、前起伏部Ａ１１２１−３と同等の起伏部（図示せず）があり、双方の起伏部に挟まれる形で第１前供給通路Ａ１１０２の空間が狭まっている。また、後起伏部Ａ１２１１−３の後方向に対向する位置の後構成後部材Ａ１２２０の内壁面には、後起伏部Ａ１２１１−３と同等の起伏部（図示せず）があり、双方の起伏部に挟まれる形で第１後供給通路Ａ１２０２の空間が狭まっている。第１前供給通路Ａ１１０２及び第１後供給通路Ａ１２０２内を流下する遊技球２３は、これら起伏部により両球端を規制されながら空間内の略中央を流下していくこととなる。
【００５２】
図１１及び図１２は、賞球払出ユニット１００の上構成部Ａ１０００における左側面図及び右側面図である。第１前供給通路Ａ１１０２及び第１後供給通路Ａ１２０２を通過した遊技球２３は、回転体Ａ１００３もしくは後述する排出通路Ａ１００４に導かれる。回転体Ａ１００３は、第１前供給通路Ａ１１０２側に配される回転盤前部Ａ１１０３と、第１後供給通路Ａ１２０２側に配される回転盤後部Ａ１２０３と、回転体Ａ１００３を回転駆動させる従動ギア部Ａ１３０３を一体成型して構成されている。ここで、従動ギア部Ａ１３０３は、中継ギア部Ａ１３０４と駆動ギア部Ａ１３０５を介して、モータ（例えばステッピングモータ）Ａ１３１０により回転駆動されるため、モータＡ１３１０の回転駆動力により回転体Ａ１００３が回転する。
【００５３】
＜賞球払出ユニット内部機構／上構成部／（１）遊技球流下調整機能＞
図１３は、賞球払出ユニット１００の上構成部の回転体Ａ１００３における回転盤前部Ａ１１０３及び回転盤後部Ａ１２０３の拡大図である。回転盤前部Ａ１１０３及び回転盤後部Ａ１２０３は、前後方向に対向するように配置されており、従動ギア部Ａ１３０３（図１２参照）によって回転軸Ａ１００３−１を中心に同期して図示するＹ方向（図９、図１０及び図１４参照）に向けて回転される。回転盤前部Ａ１１０３及と回転盤後部Ａ１２０３との間には、仕切り部Ａ１１２１−１及び仕切り部Ａ１２１１−１が配置されている。また、仕切り部Ａ１１２１−１及び仕切り部Ａ１２１１−１を挟んで第１回転体通路（球通路）Ａ１１０４と、第２回転体通路（球通路）Ａ１２０４と、が配置されている（図１１、図１２参照）。
【００５４】
図１３に示すように、回転盤前部Ａ１１０３（回転盤後部Ａ１２０３）には、３つの保持部Ａ１１０３−１（Ａ１２０３−１）が形成されており、１２０度回転する毎に第１前供給通路Ａ１１０２（第１後供給通路Ａ１２０２）を通過した遊技球２３を保持する。また、回転盤前部Ａ１１０３の保持部Ａ１１０３−１と回転盤後部Ａ１２０３の保持部Ａ１２０３−１とは、略６０度ずつずれて形成されている。したがって、回転体Ａ１００３が６０度回転する毎に、第１前供給通路Ａ１１０２を通過した遊技球２３と第１後供給通路Ａ１２０２を通過した遊技球２３とが交互に回転体Ａ１００３に保持される。また、これら保持部の幅（図中のＴ）は遊技球の直径よりも小さい。これにより遊技球が保持部内にすっぽり収納されることを防止している。
【００５５】
図１４は、回転盤前部Ａ１１０３における遊技球流下調整機能の機能動作図である。本発明の実施形態では、賞球払出動作を行う場合には、モータＡ１３１０による回転駆動力を中間歯車（駆動ギアＡ１３０５と中継ギア部Ａ１３０４）によって伝導し、従動ギア部Ａ１３０３を図示するＹ方向に回転駆動させることで回転盤前部Ａ１１０３を同じくＹ方向に回転駆動させる。ここで、回転盤前部Ａ１１０３が回転し、保持部Ａ１１０３−１が略垂直上方向へ推移すると、第１前供給通路Ａ１１０２から流下した遊技球が保持部Ａ１１０３−１に浅く嵌り込んで保持される｛図１４（ａ）｝。また、回転盤前部Ａ１１０３が更に回転し、保持部Ａ１１０３−１が略水平左方向へ推移すると、保持部Ａ１１０３−１に保持されている遊技球２３が保持部Ａ１１０３−１から第１回転体通路Ａ１１０４へ流下することとなる｛図１４（ｂ）｝。そして、モータＡ１３１０により回転盤前部Ａ１１０３を回転させることにより、第１前供給通路Ａ１１０２及び第１後供給通路Ａ１２０２内から回転体Ａ１００３に導かれた遊技球２３を、第１回転体通路（球通路）Ａ１１０３及び第２回転体通路（球通路）Ａ１２０３へ、１個ずつ一定間隔で流下するよう調整することができる｛図１４（ｃ）｝。ここで、図１４（ｄ）に示すように、本発明の実施形態では、保持部Ａ１１０３−１を構成するため、回転盤前部Ａ１１０３の円周よりも小さい円の円周Ａ１１０３ａに沿って、略等間隔で凸部Ａ１１０３−２が設けられている。そして、該凸部Ａ１１０３−２において遊技球２３をＹ方向へ押圧する側の面は、回転盤前部Ａ１１０３の円周に略到達する形で、該凸部の上端Ａ１１０３−２ａが伸長している。この伸長した上端Ａ１１０３−２ａにより遊技球２３をＹ方向へ確実に押圧することができ、モータＡ１３１０により回転盤前部Ａ１１０３を高速回転させた場合においても、遊技球２３が保持部Ａ１１０３−１から抜け出てしまうことを防止することができる。尚、該凸部Ａ１１０３−２において遊技球２３をＹ方向へ押圧しない側の面では、凸部の上端Ａ１１０３−２ｂは伸長していないため、凸部における遊技球２３が接する面Ａ１１０３−２ｃは、回転盤前部Ａ１１０３の内側から外側に向けて次第に傾斜形状を成すよう構成されているが、その効果については後述する。また、該凸部Ａ１１０３−２が設けられる間隔を等間隔且つ規則的に定めることにより、回転体Ａ１００３に導かれた遊技球２３を第１回転体通路（球通路）Ａ１１０３及び第２回転体通路（球通路）Ａ１２０３へ流下させる間隔を一定に保つ精度を向上させることができる。更に、回転盤前部Ａ１１０３の製造工程においては、円周Ａ１１０３ａに沿って、略等間隔で凸部Ａ１１０３−２を設けるだけの簡易な設計思想となるため、製造設計コストを低減することも可能となる。
【００５６】
＜賞球払出ユニット内部機構／上構成部／（２）遊技球排出機能＞
図１５は、賞球払出ユニット１００の上構成部Ａ１０００における排出通路Ａ１００４、第１前供給通路Ａ１１０２及び第１後供給通路Ａ１２０２の拡大図である。第１前供給通路Ａ１１０２及び第１後供給通路Ａ１２０２には、夫々の供給路内の遊技球２３をパチンコ遊技機２外部に排出するための排出通路Ａ１００４が設けられている。また、排出通路Ａ１００４の上方には、遊技球２３の流路を切り替える切替弁Ａ１００５が設けられている。そして、切替弁Ａ１００５の上方には、切替弁Ａ１００５の動作を操作する操作部材Ａ１００６が設けられている。
【００５７】
排出通路Ａ１００４は、第１前供給通路Ａ１１０２から流入する遊技球２３を排出口側へ導く前誘導路Ａ１００４−２と、第１後供給通路Ａ１２０２から流入する遊技球２３を排出口側へ導く後誘導路Ａ１００４−３と、前誘導路Ａ１００４−２及び後誘導路Ａ１００４−３から流入する遊技球を１列の球通路へ合流させる合流路Ａ１００４−１と、合流路Ａ１００４−１で合流した遊技球２３を排出口Ａ１００４−５へ導くスロープ部Ａ１００４−４から構成されている。尚、排出口Ａ１００４−５の球通路幅は、遊技球１個分の直径を超過し且つ遊技球２個分の直径未満となるよう構成されており、即ち、２個以上の遊技球が同時に排出口を通過することができないよう構成されている。また、後誘導路Ａ１００４−３は前誘導路Ａ１００４−２よりも、スロープ部Ａ１００４−４の上流に位置するよう構成されている。
【００５８】
図１６は、切替弁Ａ１００５及び操作部材Ａ１００６を賞球払出ユニット１００から取り出した状態での拡大図である。切替弁Ａ１００５は、第１前供給通路Ａ１１０２を流下する遊技球２３の流路を切り替える第１前供給通路切替弁Ａ１１０５と、第１後供給通路Ａ１２０２を流下する遊技球２３の流路を切り替える第１後供給通路切替弁Ａ１２０５と、回転軸Ａ１００５−１と、を一体成型することで構成されている。操作部材Ａ１００６は、切替弁Ａ１００５と当接することで切替弁Ａ１００５の動作を操作する切替弁操作部Ａ１００６−２と、回転軸Ａ１００６−１と、を一体成型することで構成されている。
【００５９】
切替弁Ａ１００５の前面Ａ１００５−２は、前方に配置された操作部材の切替弁操作部Ａ１００６−２と当接している。操作部材Ａ１００６は、操作ハンドルＡ１００７と一体成型されており、操作部材Ａ１００６と操作ハンドルＡ１００７（図１５参照）の連結軸部は、賞球払出ユニット１００の後構成後部材Ａ１２２０に形成された操作穴部を貫通している（例えば、図１５参照）。操作部材Ａ１００６は、操作ハンドルＡ１００７により賞球払出ユニット１００の外側から操作でき回転移動可能である（例えば、図１５参照）。
【００６０】
次に、図１７は、本発明の実施形態における賞球払出動作の動作図である。本発明の実施形態では、賞球払出ユニット１００が賞球払出動作を行う場合には、操作部材Ａ１００６が図示される位置に固定されＸ方向へ移動しないよう、操作ハンドルＡ１００７により操作される。そして、第１前供給通路Ａ１１０２及び第１後供給通路１２０２内を流下する遊技球２３によって切替弁Ａ１００５が略下方向へ押圧された場合には、切替弁Ａ１００５が図示される位置からＺ方向へ移動しないよう、操作部材Ａ１００６と切替弁Ａ１００５が当接する状態となる。この結果、切替弁Ａ１００５は、第１前供給通路Ａ１１０２及び第１後供給通路１２０２の一部を構成することとなり、第１前供給通路Ａ１１０２内の遊技球２３及び第１後供給通路Ａ１２０２内の遊技球２３を回転体Ａ１００３に導く状態となるのである。同時に、切替弁Ａ１００５は、排出通路Ａ１００４側に遊技球が流下することを遮蔽する部材としても機能する。
【００６１】
次に、図１８は、本発明の実施形態における正常な遊技球排出機能の機能動作図である。本発明の実施形態では、遊技球の排出動作を行う場合には、操作部材Ａ１００６が図示される位置に固定され逆Ｘ方向（−Ｘ方向）へ移動しないよう、操作ハンドルＡ１００７により操作される。ここで、切替弁Ａ１００５は回転軸Ａ１００５−１（図１６参照）を中心にＺ方向へ移動可能となり、第１前供給通路Ａ１１０２及び第１後供給通路Ａ１２０２内を流下する遊技球２３の押圧によって、図示される位置へと移動する。この結果、切替弁Ａ１００５は、排出通路Ａ１００４の通路壁の一部を構成することとなり、第１前供給通路Ａ１１０２内の遊技球２３及び第１後供給通路Ａ１２０２内の遊技球２３を排出通路Ａ１００４に導く状態となるのである。ここで、図１８からも分かるように、第１前供給通路Ａ１１０２又は第１後供給通路Ａ１２０２と排出通路Ａ１００４との分岐箇所に着目すると、それより上流の第１前供給通路Ａ１１０２又は第１後供給通路Ａ１２０２から落下する遊技球が、当該分岐箇所よりも排出通路Ａ１００４側寄りに落下（遊技球の重心を基準）するような位置に当該分岐箇所は設けられている。したがって、前述した賞球払出動作が実行される場合と異なり、遊技球排出動作時には、切替弁Ａ１００５は、第１前供給通路Ａ１１０２又は第１後供給通路Ａ１２０２側に遊技球が流下することを遮蔽する部材として機能する必要が無い。
【００６２】
＜賞球払出ユニット内部機構／上構成部／本発明の特徴＞
次に、本発明の実施形態の内、上構成部に関し、本発明の特徴を挙げると共に、夫々の発明の特徴ごとに発明構成要件と作用について詳述する。上構成部に係る本発明の特徴は、（１）賞球払出ユニット１００の上構成部における排出通路Ａ１００４と、（２）賞球払出ユニット１００の上構成部における回転盤前部Ａ１１０３及び回転盤後部Ａ１２０３と、（３）賞球払出ユニット１００の上構成部における切替弁Ａ１００５と、を挙げることができる。
【００６３】
＜特徴（１）の発明構成要件と作用＞
図１５を用いて前述したように、排出通路Ａ１００４は、第１前供給通路Ａ１１０２から流入する遊技球２３を排出口側へ導く前誘導路Ａ１００４−２と、第１後供給通路Ａ１２０２から流入する遊技球２３を排出口側へ導く後誘導路Ａ１００４−３と、前誘導路Ａ１００４−２及び後誘導路Ａ１００４−３から流入する遊技球２３を１列の球通路へ合流させる合流路Ａ１００４−１と、合流路Ａ１００４−１で合流した遊技球２３を排出口Ａ１００４−５へ導くスロープ部Ａ１００４−４から構成されている。尚、排出口Ａ１００４−５の球通路幅は、遊技球１個分の直径を超過し且つ遊技球２個分の直径未満となるよう構成されており、即ち、２個以上の遊技球が同時に排出口を通過することができないよう構成されている。また、後誘導路Ａ１００４−３は前誘導路Ａ１００４−２よりも、スロープ部Ａ１００４−４の上流に位置するよう構成されている。
【００６４】
ここで、図１９は、合流路Ａ１００４−１を設けないよう構成された第１の従来例の作用図である。本従来例では、第１前供給通路Ａ１１０２から前誘導路Ａ１００４−２を経て流下する遊技球２３及び第１後供給通路Ａ１２０２から後誘導路Ａ１００４−３を経て流下する遊技球２３は、前誘導路Ａ１００４−２及び後誘導路Ａ１００４−３から直接排出口へ導かれるよう構成されている。したがって、前誘導路Ａ１００４−２及び後誘導路Ａ１００４−３夫々に排出口Ａ１００４−５を設けるためには、本発明の実施形態よりも賞球払出ユニット１００内に要するスペースが大きくなってしまうという問題が考えられる。
【００６５】
また、図２０は、本発明の実施形態におけるスロープ部Ａ１００４−４を設けないよう構成された形態における作用図である。本形態では、排出通路Ａ１００４は、第１前供給通路Ａ１１０２から流入する遊技球２３を排出口側へ導く前誘導路Ａ１００４−２と、第１後供給通路Ａ１２０２から流入する遊技球２３を排出口側へ導く後誘導路Ａ１００４−３と、前誘導路Ａ１００４−２及び後誘導路Ａ１００４−３から流入する遊技球２３を１列の球通路へ合流させる合流路Ａ１００４−１と、から構成されている。ところで、排出通路Ａ１００４には単位時間あたりに多量の遊技球２３が流入する場合が多い。その理由としては、パチンコ遊技機２における球貯留タンク４０及びタンクレール４３に堆積している全ての遊技球を、遊技球の重量を利用して排出通路Ａ１００４から一気に排出させる用途が多いためである。したがって、後続球と排出通路壁に挟まれている遊技球は、遊技球の自重に起因する排出口Ａ１００４−５へ流下する合力よりも、後続球の重量と排出通路壁からの作用・反作用力に起因する合力の方が大きくなることで遊技球が流下し難くなり、結果遊技球が滞留することで球詰まりを起こしやすくなるという問題が考えられる。
【００６６】
そして、図２１は、図２０の態様にスロープ部Ａ１００４−４を設けた本発明の実施形態における作用図である。本発明の実施形態では、前誘導路Ａ１００４−２及び後誘導路Ａ１００４−３から合流路Ａ１００４−１に流入した遊技球２３を、スロープ部Ａ１００４−４によって速やかに排出口Ａ１００４−５へ導くことができるよう構成されている。したがって、後続球と排出通路壁に挟まれている遊技球は、後続球の重量と排出通路壁からの作用・反作用力に起因する合力よりも、遊技球の自重に起因する排出口Ａ１００４−５へ流下する合力の方が大きくなることで遊技球が流下し易くなり、結果球詰まりを起こしにくくなるのである。
【００６７】
＜特徴（２）の発明構成要件と作用＞
図１３を用いて前述したように、回転体Ａ１００３は、遊技球２３を１球ずつ保持可能な凹状の保持部Ａ１１０３−１（Ａ１２０３−１）が外周に３つ形成された回転盤前部Ａ１１０３（回転盤後部Ａ１２０３）を有しており、保持部Ａ１１０３−１（Ａ１２０３−１）に保持された遊技球２３は、回転体Ａ１００３の回転に伴って移動し、第１回転体通路Ａ１１０３（Ａ１２０３）へ流下する。ここで、保持部Ａ１１０３−１（Ａ１２０３−１）は、第１前供給通路Ａ１１０２（第１後供給通路Ａ１２０２）から流下した遊技球２３を保持することができるが、遊技球２３が半身以上嵌り込むことがない、即ち、保持部１４１ｂの開口部幅（図中のＴ）が、遊技球の直径未満となるよう構成されている。また、保持部Ａ１１０３−１（Ａ１２０３−１）間に設けられた凸部の一端Ａ１１０３−２ａは回転盤前部Ａ１１０３（回転盤後部Ａ１２０３）の外周に略到達するまで伸長されており、且つ該凸部の一端Ａ１１０３−２ａの高さは遊技球２３の直径未満となるよう構成されている。（図１４参照）
【００６８】
そして、図２２は、本発明の実施形態において所謂セルロイドゴトやピアノ線ゴトと称される不正行為による異常動作の作用図である。不正行為の一手法として、賞球払出ユニット１００に向けて侵入させたセルロイドやピアノ線を回転体Ａ１００３まで到達させ、回転体Ａ１００３を逆Ｙ方向（図示される−Ｙ方向）へ回転させることで不正な賞球払出動作を促す手法がある。本発明の実施形態では、回転体Ａ１００３を−Ｙ方向へ回転させた場合において、不正に賞球払出動作を行うことがなく、且つ回転盤前部Ａ１１０３や回転盤後部Ａ１２０３が破損しにくいよう構成されている。具体的には、従動ギア部Ａ１３０３を−Ｙ方向に強制的に回転駆動させることで、回転盤前部Ａ１１０３もしくは回転盤後部Ａ１２０３を同じく−Ｙ方向に回転駆動させる。ここで、回転盤前部Ａ１１０３が−Ｙ方向に回転し、保持部Ａ１１０３−１が略垂直上方向へ推移すると、第１前供給通路Ａ１１０２から流下した遊技球２３が保持部Ａ１１０３−１に嵌り込んで保持される｛図２２の（ａ）｝。そして、回転盤前部Ａ１１０３が−Ｙ方向に更に回転すると、保持部Ａ１１０３−１に保持されている遊技球２３は、保持部Ａ１１０３−１間に設けられた凸部の一端Ａ１１０３−２ｂと第１前供給通路Ａ１１０２の通路壁から押圧される。しかし、該押圧力は遊技球２３の球体下部に加えられるため、該押圧力は略垂直上方向への合力へと変換され、該変換された合力が保持部Ａ１１０３−１に保持されている遊技球２３に作用する｛図２２の（ｂ）｝。そして、回転盤前部Ａ１１０３が−Ｙ方向に更に回転し、保持部Ａ１１０３−１が略水平右方向へ推移すると、略垂直上方向へ推移した遊技球は保持部Ａ１１０３−１間に設けられた凸部Ａ１１０３−２に乗り上げることとなる｛図２２の（ｃ）｝。また、回転盤前部Ａ１１０３が−Ｙ方向に更に回転し、保持部Ａ１１０３−１が略垂直上方向へ推移すると、凸部Ａ１１０３−２に乗り上げた遊技球は再度保持部Ａ１１０３−１に嵌り込んで保持される｛図２２の（ｄ）｝。このように、本発明の実施形態では、回転体Ａ１００３を逆Ｙ方向へ回転させた場合には、回転体Ａ１００３の直上に位置する遊技球２３が単に上下運動を繰り返すのみとなり、遊技球２３が第１回転体通路Ａ１１０３へ流下することはない。また、保持部Ａ１１０３−１間に設けられた凸部の一端Ａ１１０３−２ｂと第１前供給通路Ａ１１０２の通路壁により、保持部Ａ１１０３−１に保持された遊技球２３に過度の押圧力が生じないため、該押圧力の反作用力による押圧力も保持部Ａ１１０３−１や保持部Ａ１１０３−１間に設けられた凸部Ａ１１０３−２に生じることがないため、回転体Ａ１００３が破損しにくくなるのである。更に、図１４（ｄ）を用いて前述したように、該凸部Ａ１１０３−２において遊技球２３を−Ｙ方向へ押圧する側の面では、凸部の上端Ａ１１０３−２ｂは回転盤前部Ａ１１０３の円周に向かって伸長していない。そのため、例えば遊技球２３が保持部Ａ１１０３−１から若干浮き出た状態であっても、該凸部の上端Ａ１１０３−２ｂと第１前供給通路Ａ１１０２の通路壁により、保持部Ａ１１０３−１に保持された遊技球２３に過度の押圧力が生じることを回避でき、回転体Ａ１００３が破損する危険性を更に防止することができる。また、凸部における遊技球２３が接する面Ａ１１０３−２ｃは、回転盤前部Ａ１１０３の内側から外側に向けて次第に傾斜形状を成すよう構成されていると共に、凸部の上端Ａ１１０３−２ａにおいて回転盤前部Ａ１１０３の円周に向かって伸長している部位の形状が丸みを帯びた形状となっているため、前述した遊技球２３の上下運動（リフティング動作）がスムーズに行えることとなり、リフティング動作に伴う回転体Ａ１００３が破損する危険性も共に防止することができる。尚、凸部における遊技球２３が接する面Ａ１１０３−２ｃの傾斜角及び面Ａ１１０３−２ｃから凸部の上端Ａ１１０３−２ａの丸み形状の頂点に至るまでの傾斜角の程度は特に限定されないが、円周Ａ１１０３ａを基準としたときに、最大傾斜角を９０度未満とすることが、リフティング動作をスムーズに行う観点からは好ましい（好適には７５度未満、より好適には４５度未満）。
【００６９】
＜特徴（３）の発明構成要件と作用＞
図１５を用いて前述したように、切替弁Ａ１００５は、上部に位置する回転軸Ａ１００５−１を中心にＺ方向（図１７参照）へ移動可能に構成されている。また、操作部材Ａ１００６は、上部に位置する回転軸Ａ１００６−１を中心にＸ方向（図１７参照）へ移動可能に構成されている。そして、操作部材Ａ１００６は、回転軸Ａ１００６−１を連結軸部として操作ハンドルＡ１００７と一体成型されているため、操作ハンドルＡ１００７により賞球払出ユニット１００の外側から、該回転方向への移動を操作できるよう構成されている。
【００７０】
そして、図２３は、本発明の実施形態において所謂セルロイドゴトやピアノ線ゴトと称される不正行為による異常動作の作用図である。不正行為の一手法として、賞球払出ユニット１００に向けて侵入させたセルロイドやピアノ線を回転体Ａ１００３まで到達させ、回転体Ａ１００３を−Ｙ方向へ回転させることで不正な賞球払出動作を促す手法があるが、同様の手法により切替弁Ａ１００５を不正に操作されることも考えられる。例えば、図１８で示した切替弁Ａ１００５及び操作部材Ａ１００６の状態において、切替弁Ａ１００５を略上方向へと押圧することで、第１前供給通路Ａ１１０２及び第１後供給通路Ａ１２０２に滞留している遊技球２３を排出通路Ａ１００４へ強制的に導くことが挙げられる。本発明の実施形態では、切替弁Ａ１００５を略上方向へと押圧した場合、切替弁Ａ１００５の上面Ａ１００５−２が第１前供給通路Ａ１１０２及び第１後供給通路Ａ１２０２の通路壁端、即ち、前突起壁部下端Ａ１１２１−２ａ及び後突起壁部下端Ａ１２１１−２ａに当接することで、図２３に示す位置まで切替弁Ａ１００５を移動できるよう構成されている。しかしながら、切替弁Ａ１００５と第１前供給通路Ａ１１０２もしくは第１後供給通路Ａ１２０２との間に形成される間隙幅は、遊技球の直径未満となるよう構成されているため、第１前供給通路Ａ１１０２及び第１後供給通路Ａ１２０２に滞留している遊技球を排出通路Ａ１００４へ導くことはできないのである。
【００７１】
＜賞球払出ユニット内部機構／下構成部＞
図２４及び図２５は、賞球払出ユニット１００の下構成部Ｂ１０００を右前方から視認した斜視図及び分解斜視図である。賞球払出ユニット１００の下構成部Ｂ１０００は、正面視における右側部分を構成する右構成部材Ｂ１１００、左側部分を構成する左構成部材Ｂ１２００、及び右構成部材Ｂ１１００と左構成部材Ｂ１２００とに内包され、後述する第１前供給通路（第１供給通路）Ｂ１１１０及び第１後供給通路（第１供給通路）Ｂ１１２０を構成する中央構成部材Ｂ１１３０、後述するカウントセンサＢ１１４０、後述する第２供給通路Ｂ１１５０及び流出口Ｂ１１６０によって構成されている。
【００７２】
図２６、図２７、図２８及び図２９は夫々、賞球払出ユニット１００の下構成部Ｂ１０００における、前側面図、後側面図、左側面図及び右側面図である。賞球払出ユニット１００の下構成部Ｂ１０００における上面Ｂ１００１には、賞球払出ユニット１００の上構成部Ａ１０００から流下した遊技球２３が流入する２つの流入口が形成されており、各流入口の下流には各々供給通路が配置されている。
【００７３】
流入口は、前側に位置する前流入口Ｂ１１０１（図２６参照）と、後側に位置する後流入口Ｂ１１０２（図２７参照）と、を有する。前流入口Ｂ１１０１から流入した遊技球２３は、前側に配置された第１前供給通路Ｂ１１１０に流入し、後流入口Ｂ１１０２から流入した遊技球２３は、後側に配置された第１後供給通路Ｂ１１２０に流入する。第１前供給通路Ｂ１１１０と第１後供給通路Ｂ１１２０は、前後方向に隣接した２列（２条）の球通路（但し、下流で合流して１条となる）であり、第１前供給通路Ｂ１１１０と第１後供給通路Ｂ１１２０との間には、中央構成部材Ｂ１１３０が配置されている。
【００７４】
＜賞球払出ユニット内部機構／下構成部／（１）遊技球計数機能＞
賞球払出ユニット１００の下構成部Ｂ１０００における第１前供給通路Ｂ１１１０及び第１後供給通路Ｂ１１２０には夫々、遊技球２３の通過を検出するカウントセンサ（球検出部材）Ｂ１１４０が設けられており、カウントセンサＢ１１４０の検出に基づいて賞球払出ユニット１００によって払い出す賞球数を計数することができる。ここで、カウントセンサＢ１１４０は、第１前供給通路Ｂ１１１０を通過する遊技球２３を検出する前カウントセンサＢ１１４１と、第１後供給通路Ｂ１１２０を通過する遊技球２３を検出する後カウントセンサＢ１１４２と、を有する。尚、本実施の形態では、カウントセンサＢ１１４０を賞球払出ユニット１００の下構成部Ｂ１０００に設けるよう構成されているが、これには限定されず、賞球払出ユニット１００の上構成部Ａ１０００における回転体Ａ１００３の直下に設けるよう構成してもよい。
【００７５】
＜賞球払出ユニット内部機構／下構成部／（２）遊技球放出機能＞
図３０及び図３１は、賞球払出ユニット１００の下構成部Ｂ１０００における第１前供給通路Ｂ１１１０、第１後供給通路Ｂ１１２０及び第２供給通路Ｂ１１５０の球通路に係る空間領域の模式図である。カウントセンサＢ１１４０を通過した遊技球２３は、第２供給通路Ｂ１１５０に流入する。第２供給通路Ｂ１１５０は、１列（１条）の球通路である。第２供給通路Ｂ１１５０には、カウントセンサＢ１１４０を通過した全ての遊技球２３が導かれており、第１前供給通路Ｂ１１１０からの遊技球２３と第１後供給通路Ｂ１１２０からの遊技球２３とが共に流入する。
【００７６】
第２供給通路Ｂ１１２０は、第１前供給通路Ｂ１１１０及び第１後供給通路Ｂ１１２０から流入する遊技球２３を１列の球通路へ合流させる合流路Ｂ１１５１と、合流路Ｂ１１５１から流入する遊技球２３を右後上方向から左前下方向へと略螺旋状（或いは、前後方向・左右方向に屈曲）に導く迂回路Ｂ１１５２と、迂回路Ｂ１１５２から流入する遊技球２３を流出口Ｂ１１６０へ導く流出路Ｂ１１５３から構成されている。ここで、迂回路Ｂ１１５２によって内包される面には、前枠９に設けられた遊技部品が当接するため、迂回路Ｂ１１５２は前後方向に大きく湾曲していると共に右方向へも屈曲するよう構成されている。また、第２供給通路Ｂ１１５０の遊技球２３の通過方向と直交する断面における断面積は、第１前供給通路Ｂ１１１０の遊技球２３の通過方向と直交する断面における断面積と、第１後供給通路Ｂ１１２０の遊技球２３の通過方向と直交する断面における断面積と、を合わせた断面積よりも広くなるように構成されている。第２供給通路Ｂ１１５０を通過した遊技球２３は、流出口Ｂ１１６０から賞球供給通路４１に流入し、賞球供給通路４１を介して球皿１４に導かれる。尚、左右方向及び前後方向における屈曲の程度は特に限定されないが、下構成部の高さを基準としたときに、遊技球流下方向に対して垂直に切断した面の中心の軌跡（本例では上流側で２流路あるので２流路の少なくとも一方）が、当該高さの垂直軸に対して当該高さの±１０％以上（好適には±１５％以上）左右方向に屈曲しており、同様に、当該高さの垂直軸に対して当該高さの±１０％以上（好適には±１５％以上）前後方向に屈曲していることが好ましい。また、屈曲の位置であるが、前後方向における屈曲箇所と左右方向における屈曲箇所とが略同一位置（鉛直方向を基準として略同一高さ）であることが、荷重分散の観点から好ましい。ここで、「略」とは、前後方向の「ある屈曲箇所」と当該「ある屈曲箇所」と対応した左右方向の「ある屈曲箇所」とを比較した場合、相互の屈曲点（屈曲箇所の最も奥）を基準として、ズレの程度が±５ｃｍ以内（好適には３ｃｍ以内、より好適には１ｃｍ以内）であることを指す。
【００７７】
（本発明の特徴）
次に、本発明の実施形態に基づき、本発明の特徴を挙げると共に、発明構成要件と作用について詳述する。本発明の特徴は、（１）賞球払出ユニット１００の下構成部における第２供給通路１２０の球通路を挙げることができる。
【００７８】
＜特徴（１）の発明構成要件と作用＞
図３０及び図３１を用いて前述したように、賞球払出ユニット１００の下構成部Ｂ１０００における第２供給通路Ｂ１１５０は、第１前供給通路Ｂ１１１０及び第１後供給通路Ｂ１１２０から流入する遊技球２３を１列の球通路へ合流させる合流路Ｂ１１５１と、合流路Ｂ１１５１から流入する遊技球２３を右後上方向から左前下方向へと略螺旋状に導く迂回路Ｂ１１５２と、迂回路Ｂ１１５２から流入する遊技球２３を流出口Ｂ１１６０へ導く流出路Ｂ１１５３から構成されている。ここで、迂回路Ｂ１１５２によって内包される面には、前枠９に設けられた遊技部品が当接するため、迂回路Ｂ１１５２は少なくとも前後方向に大きく湾曲させる必要がある。
【００７９】
ここで、図３２は、迂回路Ｂ１１５２が前後方向にのみ湾曲するよう構成された従来例における作用図である。従来例では、第２供給通路Ｂ１１５０の球通路に遊技球２３が堆積した場合、後続球の重量を前後方向に分散させる作用は認められるものの、左右方向への分散効果は皆無である。尚、中央よりも上流部で左右方向に若干屈曲しているが、屈曲の程度が小さく事情は変わらない。しかも、最も問題となる前後方向での屈曲部で左右方向には屈曲していない。そのため、後続球と通路壁に挟まれている遊技球２３は、遊技球２３の自重に起因する流下方向への合力よりも、後続球の重量と通路壁からの作用・反作用力に起因する合力の方が大きくなることで遊技球２３が流下し難くなり、結果遊技球２３が滞留することで球詰まりを起こしやすくなるという問題が考えられる。
【００８０】
そして、図３３は、迂回路Ｂ１１５２が前後方向に湾曲すると共に、右方向へも屈曲することで、迂回路Ｂ１１５２を左前上方向から右後下方向へと略螺旋上に形成された本発明の実施形態の作用図である。本発明の実施形態では、左右方向の屈曲の度合いが従来例と比較して顕著に大きく、且つ、最も球詰まり等が問題となる前後方向での屈曲部で左右方向に屈曲させている。この結果、本発明の実施形態では、第２供給通路Ｂ１１５０の球通路に遊技球２３が堆積した場合、後続球の重量を前後方向に分散させると共に、左右方向への分散作用が認められるため、従来例よりも後続球の重量を多方向へ分散させることができる。したがって、後続球と通路壁に挟まれている遊技球２３は、後続球の重量と通路壁からの作用・反作用力に起因する合力が分散し低減することによって、遊技球２３の自重に起因する流下方向への合力によって流下しやすくなり、球詰まりを起こしにくくなるのである。尚、本発明の実施形態では、前枠９に遊技部品が設置されているよう構成されているが、これには限定されず、他の事由により球通路を湾曲させる場合も同様である。
【００８１】
（本発明の効果）
本発明によれば、球払出用回転体の下流に存在する第二供給通路が鉛直方向（遊技機裏面）を基準として左右及び前後に屈曲するように構成されている。即ち、第二供給通路に遊技球が詰まっている状況下である遊技球に着目した際、球払出機構を正面（或いは裏面）から眺めた場合には、当該ある遊技球の真上に存在する遊技球の重心が当該ある遊技球の重心よりも左（又は右）となり、更には、球払出機構を横から眺めた場合には、当該ある遊技球の真上に存在する遊技球の重心が当該ある遊技球の重心よりも前側（又は後側）となるように作用する。この結果、本発明の特徴（１）によれば、上下に重なる遊技球の重心が一致する又は二次元的にしか重心が分散していない従来技術と比較し、球圧を三次元的（鉛直下向き方向、左右方向、前後方向）に分散できる結果、球圧が集中して遊技球に印加されることに起因した、特に湾曲部で発生する球噛みや球詰まりを有効に防止できるという効果を奏する。
【００８２】
更に、第二供給通路に遊技球が詰まっている状況下で当該ある遊技球が下方に落下した場合、慣性の法則により、当該ある遊技球の真上に存在する遊技球は一瞬当該地点に留まる結果、落下した当該ある遊技球と当該ある遊技球の真上に存在する遊技球との間に一瞬隙間が出来、若干のタイムラグを経て、当該ある遊技球の真上に存在する遊技球は自重により当該ある遊技球上に落下する。この場合、前述のような重心のずれに基づき、当該ある遊技球は、当該ある遊技球の真上に存在する遊技球が落下する衝撃力により、左右方向での回転モーメントと前後方向での回転モーメントの両方が付与されることになる。この結果、当該ある遊技球は流路内を僅かながら左右方向及び前後方向を回転しながら移動していくことになる。この結果、本発明の特徴（１）によれば、第二供給通路に遊技球が詰まっている状況下で徐々に遊技球が排出されていく際、上下方向に存在する遊技球と常に略同一の接触箇所となる事態を回避できるため、湿気のある環境下での局部電池形成に由来した、特定箇所のみの集中的な腐蝕を防止することができるという効果をも奏する。
【００８３】
本発明によれば、前記効果に加え、ユニット化球払出機構の裏面（設置時に遊技機裏面と対向する面）側に凹部が形成されているように構成されているので、遊技機の裏側に遊技部品が存在しているとしても、当該遊技部品が凹部に陥入する結果、取り付けられた遊技部品と干渉すること無くユニットを取り付けることができるという効果を奏する。
【００８４】
本発明によれば、前記効果に加え、球払出用回転体の上流に残留する遊技球を強制的に排出させる排出経路として、２条の第一供給通路から分岐した２条の第一排出用通路が形成され、当該２条の第一排出用通路が合流して１条の第二排出用通路が形成され、且つ、第二排出用通路には１個の球排出口に向かう傾斜部が形成されているので、２条の排出用通路に対応した２個の球排出口が形成された従来技術と比較し、球排出口の面積を小さくすることができると共に、２条の第一排出通路から１条の排出通路の傾斜部に放出された遊技球に対しては遊技球自身の自重により排出口への力が印加される結果、２条の第一排出通路の合流部での球詰まりを防止することも可能になるという効果をも奏する。
【００８５】
本発明によれば、前記効果に加え、第二排出用通路の傾斜部に向けて放出される遊技球の位置が２条の第一排出用通路毎に異なるように構成されており、排出口から相対的に離間している側の第一排出用通路を傾斜部の上流に設けることで、上流から排出される遊技球に自身の自重による相対的に大きな力が印加される結果、２条の第一排出通路の合流部での球詰まりを更に防止することが可能になるという効果を奏する。
【００８６】
本発明によれば、前記効果に加え、突出部材と突出部材との間のスペースが球保持部であり且つその間隔が遊技球の直径よりも小さいため、当該スペースに遊技球が半身以上嵌まり込むことがなく球保持部上に軽く乗っかっている状態を構築できるため、球通過センサで検知されない回転方向で球払出用回転体を強制的に回転させた（例えば、上皿から長尺部材を差し込むことによる強制回転）場合でも、遊技球が球保持部に保持されている状態で当該回転方向に回転させた際、当該回転に追従した当該遊技球の移動を防止する部材が設けられているときには、当該遊技球が当該防止部材に衝突する一方、当該遊技球が球保持部から抜け出て球払出用回転体上に滞留する（当該回転方向で回転させ続けると、当該遊技球は球保持部を抜けては次の球保持部に入り、また球保持部を抜けては次の球保持部に入る、というリフティング動作が行われる）結果、不正遊技球払出が防止できると共に、球保持部がいつまでも遊技球を保持し続けることに伴う、球払出用回転体の回転が遊技球移動防止部材により規制されることに起因した、球払出用回転体の破損も防止することが可能になるという効果を奏する。
【００８７】
本発明によれば、前記効果に加え、円盤部材の一方の面を基準とした突出部材の高さを遊技球の直径よりも小さく構成したので、長尺部材による球払出用回転体の不正な回転がし辛くなる結果、不正行為を有効に防止できるという効果を奏する。
【００８８】
本発明によれば、前記効果に加え、２条の第一供給通路に対応した球払出用回転体として、円盤の両面に球保持部が形成されている従来技術とは異なり、２枚の円盤を対向させた上でその内側に球保持部が形成されるように構成されている、即ち、球払出用回転体の内側に遊技球が保持されるように構成されているので、球払出用回転体から遊技球が飛び出ないようにする飛び出し防止部材として円盤が機能する結果、球払出用回転体にて遊技球が保持されることを担保するための部材を別途設ける必要が無くなるという効果を奏する。
【００８９】
本発明によれば、球払出用回転体の上流側に存在する流路切替弁が外部から強制的に回転変位され、排出用通路が強制的に形成された場合であっても、流路切替弁の一側面と当該一側面と対向する排出用通路の壁面との間の、いずれかの地点でのスペースが、回転変位規制部材を設けることで遊技球の直径以上とならないように構成されているので、何らかの手法により排出用通路からの遊技球を不正取得しようとしても当該排出用通路から遊技球が排出されない結果、不正行為を有効に防止できるという効果を奏する。
【００９０】
本発明によれば、前記効果に加え、第一供給通路の壁部の一部（例えば下端）を回転変位規制部材として機能させるように構成されているので、当該規制部材を別途設ける必要が無く、部品点数の削減を図ることができるという効果を奏する。
【００９１】
（全体構成説明／遊技機機能説明／機能構成）
次に、図３４の機能ブロック図を参照しながら、本最良形態に係るパチンコ遊技機の機能を説明することとする。尚、ここに主として示す機能は、本発明と特に関連する、主制御基板２００／払出制御基板２３０間での機能である。
【００９２】
＜主制御基板２００＞
まず、主制御基板２００（主制御手段１０００）は、遊技の進行や賞球払出決定に関する制御を司る遊技制御手段１１００と、払出制御基板２３０側等とのコマンド・情報の送受信の制御を司る送受信制御手段１２００と、払出関連の処理に関する情報を一時記憶するための処理関連情報一時記憶手段１４００と、主制御基板２００及び払出制御基板２３０等での賞球払出に関するエラーを制御するエラー制御手段１５００と、を有する。尚、遊技制御手段１１００は、従来機が有する周知構成である。具体的には、遊技制御手段１１００は、まず遊技の進行に関する処理としては、例えば、従来の第１種遊技機の場合を例に採ると、乱数発生、始動口入球を契機とした乱数取得、取得した乱数を用いての抽選、抽選結果に基づいた図柄（特別図柄）変動、抽選に当選している場合に通常は閉状態にある可変入賞口を開放する特別遊技の実行等、周知の処理を実行し、また、各入賞口に遊技球が入球した場合には、入賞口に対応した賞球数の払出決定処理を実行する。以下、本発明の特徴的な各手段について詳述する。
【００９３】
まず、送受信制御手段１２００は、主制御基板２００から払出制御基板２３０等への送信制御を司る送信制御手段１２１０と、各種周辺機器（例えば、払出制御基板や各種信号出力装置）からの情報（信号も含む）を受信する受信制御手段１２２０と、を有している。
【００９４】
ここで、送信制御手段１２１０は、払出制御基板２３０側にコマンドや情報を送信するための払出制御側送信制御手段１２１１を有している。そして、払出制御側送信制御手段１２１１は、賞球払出の際、払出制御基板２３０側に送信される賞球払出コマンドがセットされる送信コマンド一時記憶手段１２１１ａを更に有している。
【００９５】
また、受信制御手段１２２０は、遊技機に備えられた信号出力装置（例えば、入賞口センサＳ１、Ｓ２・・・等）からの情報（信号）を受信する遊技側受信制御手段１２２１と、払出制御基板２３０からの情報を受信する払出制御側受信制御手段１１２２と、を有している。ここで、遊技側受信制御手段１２２１は、信号出力装置から受信した情報を、当該情報に係る処理が実行されるまで一時記憶するための遊技側受信情報一時記憶手段１２２１ａを更に有している。また、払出制御側受信制御手段１１２２は、払出制御基板２３０から受信した情報を、当該情報に係る処理が実行されるまで一時記憶するための払出制御側受信情報一時記憶手段１２２２ａを更に有している。
【００９６】
次に、処理関連情報一時記憶手段１４００は、賞球払出の順番に到達していない未払賞球情報（待機賞球払出情報）を一時記憶するための未払賞球情報一時記憶手段１４１０を更に有している。
【００９７】
次に、エラー制御手段１５００は、主制御基板２００及び払出制御基板２３０側での賞球払出に関するエラーを含む遊技関連エラー（例えば、賞球払出に関するエラー以外として扉開放エラー等）を監視すると共に、所定のエラーが発生した際に外部に異常を報知する制御を司る異常報知制御手段１５１０を更に有している。ここで、異常報知制御手段１５１０は、遊技関連エラーフラグのオンオフ状態を一時記憶するためのエラーフラグ一時記憶手段１５１１を更に有している。
【００９８】
＜払出制御基板２３０＞
次に、払出制御基板２３０は、主制御基板２００側やカードユニットＣ側等とのコマンド・情報の送受信の制御を司る送受信制御手段３１００と、払出制御基板２３０側での払出等に関連したエラーの制御を実行するエラー制御手段３２００と、賞球払出コマンドや貸球コマンドを受けて所定数の遊技球の払出処理を実行する払出制御手段３３００と、を有している。以下、各手段について詳述する。
【００９９】
まず、送受信制御手段３１００は、主制御基板２００やカードユニットＣからの情報（例えば、コマンドや信号）の受信制御を司る受信制御手段３１１０と、主制御基板２００やカードユニットＣへの情報の送信制御を司る送信制御手段３１２０と、を有している。
【０１００】
ここで、受信制御手段３１１０は、主制御基板２００からの情報（例えば、コマンド）の受信制御を司るメイン側受信制御手段３１１１を更に有している。そして、メイン側受信制御手段３１１１は、主制御基板２００側から送信されてきた情報が一時記憶されるメイン側受信データ一時記憶手段３１１１ａを更に有している。
【０１０１】
次に、エラー制御手段３２００は、払出制御基板２３０側での払出等のエラーフラグのオンオフ状態を一時記憶するためのエラーフラグ一時記憶手段３２２１を更に有している。
【０１０２】
次に、払出制御手段３３００は、払出処理の際に必要な情報を一時記憶するための払出処理関連情報一時記憶手段３３１０を有している。ここで、払出処理関連情報一時記憶手段３３１０は、払出に関連した状態（例えば、払出中か否か・払出異常が発生しているか否か）を一時記憶するための払出状態フラグ一時記憶手段３３１１と、払出処理時に、払い出されるべき遊技球数がセットされる払出カウンタ３３１２と、を更に有している。
【０１０３】
＜メイン制御基板・払出制御基板間で送受信されるコマンド・情報の内容＞
次に、図３５を参照しながら、主制御基板２００及び払出制御基板２３０間で送受信されるコマンド及び情報の内容を説明する。ここで、本最良形態に係る主制御基板２００から払出制御基板２３０へのコマンドは、賞球払出コマンドであることの特定情報及び賞球個数の情報からなる。具体的には、ビット７〜４は、１００１固定である（当該コマンドが賞球払出コマンドであることの識別情報）。次に、ビット３〜０は、賞球個数に関するものであり、例えば、０（００００Ｂ）は賞球０個であることを意味し、１５（１１１１Ａ）は賞球１５個であることを意味する。
【０１０４】
次に、払出制御基板２３０から主制御基板２００側に送信される払出関連情報を説明することとする。ここで、払出関連情報（賞球払出関連情報又は払出異常関連情報）は、固定値、上皿満タンエラー情報（払出関連エラーＸ情報）、球切れエラー（払出関連エラーＹ情報）、他の払出関連エラー情報（例えばモータ故障エラー等）及び賞球払出完了情報からなる。具体的には、ビット７〜４は、０１１０固定である。次に、ビット３は、上皿満タンエラー情報（払出関連エラーＸ情報）であり、「０」は受け皿満タンでないことを意味し、「１」は受け皿満タン中であることを意味する。次に、ビット２は、球切れエラー情報（払出関連エラーＹ情報）であり、「０」は球切れが発生していないことを意味し、「１」は球切れが発生中であることを意味する。次に、ビット１は、他の払出関連エラー（例えばモータ故障エラー等）に関するものであり、「０」は他の払出関連エラー発生中でないことを意味し、「１」は他の払出関連エラー発生中であることを意味する。最後に、ビット０は、賞球払出完了に関するものであり、「０」は賞球払出完了であることを意味し、「１」は賞球払出未完了であることを意味する。
【０１０５】
（全体構成説明／遊技機機能説明／処理内容）
次に、図３６〜図４４のフローチャートを参照しながら、本最良形態に係るパチンコ遊技機で実行される制御処理を説明する。ここで、図３６〜図４０が、主制御基板２００側での処理を示すフローチャートである。また、図４１〜図４４が、払出制御基板２３０側での処理を示すフローチャートである。以下、順に説明することとする。
【０１０６】
＜主制御基板側での処理フロー＞
まず、図３６〜図４０のフローチャートを参照しながら、主制御基板２００における処理を説明することとする。まず、図３６は、主制御基板２００側で実行されるメイン処理のフローチャートである。はじめに、ステップ１２００で、主制御手段１０００は、後述する未払出賞球管理処理を実行する。次に、ステップ１３００で、主制御手段１０００は、後述する払出制御基板２３０側へのコマンド送信制御処理を実行する。次に、ステップ１４００で、主制御手段１０００は、後述する払出制御基板２３０側からの情報受信制御処理を実行する。そして、ステップ１５００で、主制御手段１０００は、後述するエラー時対応制御処理を実行し、ステップ１２００に移行する。以下、各処理を詳述する。
【０１０７】
まず、図３７は、図３６のステップ１２００のサブルーチンに係る、未払出賞球（賞球払出コマンド送信前）管理処理のフローチャートを示したものである。まず、ステップ１２０５で、遊技側受信制御手段１２２１は、遊技側受信情報一時記憶手段１２２１ａを参照し、いずれかの入賞口センサＳ（Ｓ１、Ｓ２・・・）から入賞信号を受信したか否かを判定する。ステップ１２０５でＹｅｓの場合、ステップ１２１０で、遊技側受信制御手段１２２１は、受信した入賞信号に係る未払出賞球情報を、未払出賞球情報一時記憶手段１４１０に一時記憶し、次の処理（ステップ１３００の対払出制御基板送信制御処理）に移行する。尚、ステップ１２０５でＮｏの場合にも、次の処理（ステップ１３００の対払出制御基板送信制御処理）に移行する。
【０１０８】
次に、図３８は、図３６のステップ１３００のサブルーチンに係る、対払出制御基板送信制御処理のフローチャートを示したものである。まず、ステップ１３０５で、払出制御側送信制御手段１２１１は、第二回線（賞球払出中か否かに係るＯＮＯＦＦ信号を送信する線）の入力ポートを参照し、払出信号がＯＦＦであるか否か、即ち、現在払出が実行されていないか否かを判定する。ステップ１３０５でＹｅｓの場合、ステップ１３１０で、払出制御側送信制御手段１２１１は、未払賞球情報一時記憶手段１４１０を参照し、未払出賞球（まだ賞球払出コマンドを払出制御基板２３０側に送信していない賞球）が存在するか否かを判定する。ステップ１３１０でＹｅｓの場合、ステップ１３１５で、払出制御側送信制御手段１２１１は、エラーフラグ一時記憶手段１５１１を参照し、賞球払出を行うことが不適なエラーである賞球払出関連エラー（例えば、払出モータの故障に関するエラー、上皿満タン、球切れエラー等）が発生していないか否かを判定する。ステップ１３１５でＹｅｓの場合、ステップ１３２０で、払出制御側送信制御手段１２１１は、未払賞球情報一時記憶手段１４１０に一時記憶されている、今回払出処理が実行される順番の未払出賞球情報に対応した賞球数分の賞球払出コマンド（図３５参照）を、送信コマンド一時記憶手段１２１１ａにセットする。そして、ステップ１３２５で、払出制御側送信制御手段１２１１は、今回セットした賞球払出コマンドに対応する未払出賞球情報を、未払出賞球情報一時記憶手段１４１０から消去し、以後の情報をシフトさせる処理を実行する。次に、ステップ１３３０で、払出制御側送信制御手段１２１１は、送信コマンド一時記憶手段１２１１ａにセットした賞球払出コマンドを払出制御基板２３０側に送信し、次の処理（ステップ１４００の対払出制御基板受信制御処理）に移行する。尚、ステップ１３０５、ステップ１３１０及びステップ１３１５でＮｏの場合にも、次の処理（ステップ１４００の対払出制御基板受信制御処理）に移行する。
【０１０９】
次に、図３９は、図３６のステップ１４００のサブルーチンに係る、対払出制御基板受信制御処理のフローチャートを示したものである。まず、ステップ１４０５で、払出制御側受信制御手段１１２２は、払出制御側受信情報一時記憶手段１１２２ａを参照し、払出関連情報を受信したか否かを判定する。ここで、ステップ１４０５でＹｅｓの場合、ステップ１４１０で、エラー制御手段１５００は、受信した払出関連情報中にエラー情報（球切れエラー、上皿満タンエラー、他の払出関連エラー）が存在するか否かを判定する。ステップ１４１０でＹｅｓの場合、ステップ１４１５で、エラー制御手段１５００は、エラーフラグ一時記憶手段１５１１にアクセスし、該当するエラーに係るエラーフラグをオンにすることで、払出制御基板２３０側でのエラー情報を主制御基板２００側でも管理（一元管理）する。他方、ステップ１４１０でＮｏの場合、ステップ１４２０で、エラー制御手段１５００は、エラーフラグ一時記憶手段１５１１にアクセスし、払出制御基板２３０側でのエラーに係るエラーフラグをオフにする。そして、ステップ１４２５で、送受信制御手段１２００は、受信した払出関連情報中に賞球払出完了情報が存在するか否かを判定する。ステップ１４２５でＹｅｓの場合、ステップ１４３０で、送受信制御手段１２００は、送信コマンド一時記憶手段１２１１ａにセットされている賞球払出コマンド（今回の払出完了に係る賞球払出コマンド）をクリアし、次の処理（ステップ１５００のエラー時対応制御処理）に移行する。尚、ステップ１４０５及びステップ１４２５でＮｏの場合にも、次の処理（ステップ１５００のエラー時対応制御処理）に移行する。
【０１１０】
次に、図４０は、図３６のステップ１５００のサブルーチンに係る、エラー時対応制御処理のフローチャートを示したものである。まず、ステップ１５０５で、エラー制御手段１５００は、エラーフラグ一時記憶手段１５１１を参照し、エラーが発生しているか否かを判定する。ステップ１５０５でＹｅｓの場合、ステップ１５１０で、エラー制御手段１５００は、発生したエラーが重要エラーであるか（例えば、不正行為の危険性が高い上皿満タンエラー）否かを判定する。ステップ１５１０でＹｅｓの場合、ステップ１５１５で、エラー制御手段１５００は、外部出力端子板３９を介してホールコンピュータに対し、今回発生したエラーに対応したエラー情報を送信する。そして、ステップ１５２０で、エラー制御手段１５００は、今回発生したエラーに対応したエラー報知コマンドを演出制御基板２２０側に送信し、次の処理｛ステップ１２００の未払出賞球（賞球払出コマンド送信前）管理処理｝に移行する。尚、ステップ１５０５でＮｏの場合にも次の処理｛ステップ１２００の未払出賞球（賞球払出コマンド送信前）管理処理｝に移行し、ステップ１５１０でＮｏの場合にはステップ１５２０に移行する。
【０１１１】
ここで、表１は、主制御基板２００側から演出制御基板２３０側に送信されるエラー報知コマンドの一例を示したものである。このように、主制御基板２００側又は払出制御基板２３０側で発生したエラー内容と対応したエラー報知コマンドが送信される。
【表１】
2011245181.tif 000003
【０１１２】
＜払出制御基板側での処理＞
次に、図４１〜図４４を参照しながら、払出制御基板２３０側での処理を詳述する。まず、図４１は、払出制御基板２３０におけるメインルーチンを示すフローチャートである。はじめに、ステップ２１００で、払出制御基板（手段）２３０は、後述する賞球払出関連情報受信処理を実行する。次に、ステップ２２００で、払出制御基板（手段）２３０は、後述する賞球払出制御処理を実行する。そして、ステップ２３００で、払出制御基板（手段）２３０は、後述するエラー判定・エラー時対応制御処理を実行し、ステップ２１００に戻る。以下、各サブルーチンについて説明する。
【０１１３】
まず、図４２は、図４１のステップ２１００のサブルーチンに係る、賞球払出関連情報受信処理（対主制御基板）のフローチャートである。ここで、当該フローの前半が主制御基板２００からの情報受信処理（及びこれに伴う賞球払出数のセット処理）であり、当該フローの後半が主制御基板２００への情報送信処理である。そこで、前半の主制御基板２００からの情報受信処理（及びこれに伴う賞球払出数のセット処理）から説明すると、まず、ステップ２１０５で、メイン側受信制御手段３１１１は、払出状態フラグ一時記憶手段３３１１を参照し、モータ駆動中フラグがオフであるか否かを判定する。ここで、「モータ駆動中フラグ」とは、払出装置の払出モータが駆動動作中にオンになるフラグである。ステップ２１０５でＹｅｓの場合、ステップ２１１０で、メイン側受信制御手段３１１１は、メイン側受信情報一時記憶手段３１１１ａを参照し、賞球払出コマンドを受信したか否かを判定する。ステップ２１１０でＹｅｓの場合、ステップ２１１５で、払出制御手段３３００は、払出状態フラグ一時記憶手段３３１１のフラグ領域にアクセスし、賞球払出開始許可フラグをオンにする。次に、ステップ２１２０で、払出制御手段３３００は、メイン側受信情報一時記憶手段３１１１ａに一時記憶されている賞球払出コマンド情報に基づき、今回払い出されるべき賞球数を導き、当該賞球数情報を払出カウンタ３３１２にセットし、次の処理（ステップ２１５５）に移行する。以上で、通常の賞球払出処理が実行される際の、賞球払出数のセット処理を終了する。尚、ステップ２１０５及びステップ２１１０でＮｏの場合にも次の処理（ステップ２１５５）に移行する。
【０１１４】
次に、主制御基板２００への情報送信処理を説明すると、まず、ステップ２１５５で、送信制御手段３１２０は、エラーフラグ一時記憶手段３２２１を参照し、いずれかの払出関連エラー報知フラグがオンであるか否かを判定する。ここで、「払出関連エラー報知フラグ」とは、払出関連エラー｛例えば、払出関連エラーＸ（上皿満タンエラー）、払出関連エラーＹ（球切れエラー）、他の払出関連エラー（例えばモータ故障エラー）｝が発生した際にオンとなり、当該エラー報知が主制御基板側になされた後にオフとなるフラグである。ステップ２１５５でＹｅｓの場合、ステップ２１５７で、エラー制御手段３２００は、エラーフラグ一時記憶手段３２２１の、今回発生したエラーに対応した払出関連エラー報知フラグをオフにする。そして、ステップ２１６０で、送信制御手段３１２０は、今回発生したエラーに対応した払出関連エラー情報を主制御基板２００側に送信し、次の処理（ステップ２１６５）に移行する。尚、ステップ２１５５でＮｏの場合にも次の処理（ステップ２１６５）に移行する。
【０１１５】
次に、ステップ２１６５で、送信制御手段３１２０は、払出状態フラグ一時記憶手段３３１１を参照し、賞球払出完了フラグがオンであるか否かを判定する。ここで、「賞球払出完了フラグ」とは、払出制御手段３３００により賞球払出が完了したと判定された場合にオンとなるフラグである。ステップ２１６５でＹｅｓの場合、ステップ２１７０で、送信制御手段３１２０は、払出状態フラグ一時記憶手段３３１１のフラグ領域にアクセスし、賞球払出完了フラグをオフにする。そして、ステップ２１７０で、送信制御手段３１２０は、主制御基板２００側に対して賞球払出が完了した旨の情報を送信し、次の処理（ステップ２２００の賞球払出制御処理）に移行する。尚、ステップ２１６５でＮｏの場合にも、次の処理（ステップ２２００の賞球払出制御処理）に移行する。以上で、賞球払出完了情報送信処理を終了する。
【０１１６】
次に、図４３は、図４１のステップ２２００のサブルーチンに係る、賞球払出制御処理のフローチャートである。まず、ステップ２２０１で、払出制御手段３３００は、払出状態フラグ一時記憶手段３３１１を参照し、賞球払出強制停止フラグがオフであるか否かを判定する。ここで、「賞球払出強制停止フラグ」とは、後述するステップ２３００のエラー判定・エラー時対応制御処理にて払出関連エラー（本最良形態では上皿満タンエラーと球切れエラーを例示）が発生したことを契機としてオンとなる、賞球払出中に賞球払出を強制停止させるためのフラグである。ステップ２２０１でＹｅｓの場合、ステップ２２０５で、払出制御手段３３００は、払出状態フラグ一時記憶手段３３１１を参照し、賞球払出開始許可フラグ（図２４のステップ２１１５参照）がオンであるか否かを判定する。ステップ２２０５でＹｅｓの場合、ステップ２２１０及びステップ２２１５で、払出制御手段３３００は、払出状態フラグ一時記憶手段３３１１にアクセスし、賞球払出中フラグをオンにすると共に賞球払出開始許可フラグをオフにする。そして、ステップ２２２０で、払出制御手段３３００は、払出カウンタ３３１２にセットされている賞球払出個数が所定個数（例えば５個）以上であるか否かを判定する。ステップ２２２０でＹｅｓの場合、ステップ２２２５で、払出制御手段３３００は、所定個数分払い出されるよう、払出装置の払出モータを駆動制御する。他方、ステップ２２２０でＮｏの場合、即ち、払出カウンタ３３１２にセットされている賞球払出個数が所定個数に満たない場合には、払出制御手段３３００は、払出カウンタ３３１２にセットされている賞球払出個数分が払い出されるよう、払出装置の払出モータを駆動制御する。そして、ステップ２２３５で、払出制御手段３３００は、払出状態フラグ一時記憶手段３３１１にアクセスし、モータ駆動中フラグをオンにする。以上で、払出モータ駆動開始処理を終了する。
【０１１７】
次に、ステップ２２４０で、払出制御手段３３００は、スプロケット位置確認用センサからのＯＮＯＦＦ信号に基づき、ステップ２２２５又はステップ２２３０で予定していたモータ駆動が完了したか否かを判定する。ステップ２２４０でＹｅｓの場合、ステップ２２４５で、払出制御手段３３００は、スプロケット位置確認用センサからのＯＮＯＦＦ信号に基づき、スプロケットをデフォルト位置で停止させる。そして、ステップ２２５０で、払出制御手段３３００は、払出状態フラグ一時記憶手段３３１１にアクセスし、モータ駆動中フラグをオフにする。尚、ステップ２２４０でＮｏの場合には次の処理（ステップ２２５５）に移行する。以上で、払出モード停止処理を終了する。
【０１１８】
次に、ステップ２２５５で、払出制御手段３３００は、カウントセンサから遊技球検出信号を受信したか否かを判定する。ステップ２２５５でＹｅｓの場合、ステップ２２６０で、払出制御手段３３００は、払出カウンタ３３１２に一時記憶されているカウンタ値を１減算し、次の処理（ステップ２２６５）に移行する。尚、ステップ２２５５でＮｏの場合にも次の処理（ステップ２２６５）に移行する。以上で、遊技球検出時処理を終了する。
【０１１９】
次に、ステップ２２６５で、払出制御手段３３００は、払出カウンタ３３１２を参照し、カウント値が０であるか否かを判定する。ステップ２２６５でＹｅｓの場合、ステップ２２７０及びステップ２２７５で、払出制御手段３３００は、払出状態フラグ一時記憶手段３３１１にアクセスし、賞球払出中フラグをオフにすると共に賞球払出完了フラグをオンにし、次の処理（ステップ２３００のエラー判定・エラー時対応制御処理）に移行する。
【０１２０】
他方、ステップ２２０１でＮｏの場合、即ち、賞球払出強制停止フラグがオンである場合には、ステップ２２０３で、払出制御手段３３００は、払出状態フラグ一時記憶手段３３１１にアクセスし、賞球払出強制停止フラグをオフにする。そして、ステップ２２０７で、払出制御手段３３００は、払出状態フラグ一時記憶手段３３１１を参照し、モータ駆動中フラグがオンであるか否かを判定する。ここで、ステップ２２０７でＹｅｓの場合にはステップ２２４５に移行する。これにより、上皿の開口部から不正用具を侵入させることによる不正行為の実行可能性が生じた際、賞球払出予定数に到達していなくとも駆動中の払出モータが強制停止する。他方、ステップ２２０７でＮｏの場合には次の処理（ステップ２３００のエラー判定処理）に移行する。
【０１２１】
他方、ステップ２２０５でＮｏの場合、即ち、賞球払出開始許可フラグがオフである場合には、ステップ２２８０で、払出制御手段３３００は、払出状態フラグ一時記憶手段３３１１を参照し、モータ駆動中フラグがオンであるか否かを判定する。ここで、ステップ２２８０でＹｅｓの場合には、ステップ２２４０に移行して賞球払出動作を継続する。他方、ステップ２２８０でＮｏの場合には、ステップ２２８５で、払出制御手段３３００は、賞球払出中フラグがオフであるか否かを判定する。ステップ２２８５でＮｏの場合には、まだ払出を実行すべき賞球が存在すると判定し、ステップ２２２０に移行する。他方、ステップ２２８５でＹｅｓの場合及びステップ２２６５でＮｏの場合には、次の処理（ステップ２３００のエラー判定・エラー時対応制御処理）に移行する。
【０１２２】
次に、図４４は、図４１のステップ２３００のサブルーチンに係る、エラー判定・エラー時対応制御処理のフローチャートである。まず、ステップ２３０５で、エラー制御手段３２００は、球有りセンサ１０８ｂからの検出信号がＨＩＧＨ（ＯＮ）であるか否か、即ち、球切れエラー（球詰まりエラー）が発生しているか否かを判定する。ステップ２３０５でＹｅｓの場合、ステップ２３１０で、エラー制御手段３２００は、エラーフラグ一時記憶手段３２２１の球切れエラー報知処理予約フラグをオンにする。ここで、「球切れエラー報知処理予約フラグ」とは、球切れエラーの発生が確認された際にオンとなり、主制御基板側に球切れエラー情報が送信された際にオフとなるフラグである。次に、ステップ２３１５で、エラー制御手段３２００は、払出状態フラグ一時記憶手段３３１１の賞球払出強制停止フラグをオンにする。次に、ステップ２３２０で、エラー制御手段３２００は、揺動センサ１３０ｂからの検出信号がＨＩＧＨ（ＯＮ）であるか否か、即ち、上皿満タンエラーが発生しているか否かを判定する。ステップ２３２０でＹｅｓの場合、ステップ２３２５で、エラー制御手段３２００は、エラーフラグ一時記憶手段３２２１の上皿満タンエラー報知処理予約フラグをオンにする。ここで、「上皿満タンエラー報知処理予約フラグ」とは、上皿満タンエラーの発生が確認された際にオンとなり、主制御基板側に上皿満タンエラー情報が送信された際にオフとなるフラグである。次に、ステップ２３３０で、エラー制御手段３２００は、払出状態フラグ一時記憶手段３３１１の賞球払出強制停止フラグをオンにする。このように、球切れエラーや上皿満タンエラーが検出された場合、賞球払出に関しては、賞球払出強制停止フラグがオンとなるために当該検出された直後に賞球払出は強制停止する。他方、主制御基板側へのエラー発生情報送信に関しては、後述するように所定タイミング（エラー報知ポイント）に到達するまでは当該送信を留保すると共に、エラーが同時発生した場合には上皿満タンエラーの情報送信を優先させる。
【０１２３】
次に、ステップ２３３５で、送信制御手段３１２０は、所定タイミングであるエラー報知ポイントに到達したか否かを判定する。ステップ２３３５でＹｅｓの場合、ステップ２３４０で、送信制御手段３１２０は、エラーフラグ一時記憶手段３２２１を参照し、上皿満タンエラー報知処理予約フラグがオンであるか否かを判定する。ステップ２３４０でＹｅｓの場合、ステップ２３４５及びステップ２３５０で、送信制御手段３１２０は、エラーフラグ一時記憶手段３２２１の上皿満タンエラー報知処理予約フラグをオフにすると共に払出関連エラーＸ報知フラグをオンにし、次の処理（ステップ２１００の賞球払出関連情報送受信処理）に移行する。他方、ステップ２３４０でＮｏの場合、ステップ２３５５で、送信制御手段３１２０は、エラーフラグ一時記憶手段３２２１を参照し、球切れエラー報知処理予約フラグがオンであるか否かを判定する。ステップ２３５５でＹｅｓの場合、ステップ２３６０及びステップ２３６５で、送信制御手段３１２０は、エラーフラグ一時記憶手段３２２１の球切れエラー報知処理予約フラグをオフにすると共に払出関連エラーＹ報知フラグをオンにし、次の処理（ステップ２１００の賞球払出関連情報送受信処理）に移行する。尚、ステップ２３３５及びステップ２３５５でＮｏの場合にも次の処理（ステップ２１００の賞球払出関連情報送受信処理）に移行する。
【符号の説明】
【０１２４】
２  パチンコ遊技機
１６  遊技領域
２３  遊技球
４０  球貯留タンク
１００  賞球払出ユニット
Ａ１０００  上構成部
Ｂ１０００  下構成部
Ａ１００３  回転体
Ａ１００３−１  回転軸
Ａ１００４−１  合流路
Ａ１００４−２  前誘導路
Ａ１００４−３  後誘導路
Ａ１００４−４  スロープ部
Ａ１００４−５  排出口
Ａ１００５  切替弁
Ａ１００６  操作部材
Ａ１１０１  前流入口
Ａ１１０２  第１前供給通路
Ａ１１０３  回転盤前部
Ａ１１０３ａ  円周
Ａ１１０３−１  保持部
Ａ１１０３ａ−２  凸部
A１１０３−２ａ  凸部の上端
A１１０３−２ｂ  凸部の上端
A１１０３−２ｃ  面
Ａ１１２１  中央構成部材
Ａ１１２１−２ａ  前突起壁部下端
Ａ１２０１  後流入口
Ａ１２０２  第１後供給通路
Ａ１２０３  回転盤後部
Ａ１２０３−１  保持部
Ａ１２１１  中央構成部材
Ａ１２１１−２ａ  後突起壁部下端
Ａ１３１０  モータ
Ｂ１１５０  第２供給通路
Ｂ１１６０  流出口
α  遊技部品
【図１】
2011245181.tif 000004
【図２】
2011245181.tif 000005
【図３】
2011245181.tif 000006
【図４】
2011245181.tif 000007
【図５】
2011245181.tif 000008
【図６】
2011245181.tif 000009
【図７】
2011245181.tif 000010
【図８】
2011245181.tif 000011
【図９】
2011245181.tif 000012
【図１０】
2011245181.tif 000013
【図１１】
2011245181.tif 000014
【図１２】
2011245181.tif 000015
【図１３】
2011245181.tif 000016
【図１４】
2011245181.tif 000017
【図１５】
2011245181.tif 000018
【図１６】
2011245181.tif 000019
【図１７】
2011245181.tif 000020
【図１８】
2011245181.tif 000021
【図１９】
2011245181.tif 000022
【図２０】
2011245181.tif 000023
【図２１】
2011245181.tif 000024
【図２２】
2011245181.tif 000025
【図２３】
2011245181.tif 000026
【図２４】
2011245181.tif 000027
【図２５】
2011245181.tif 000028
【図２６】
2011245181.tif 000029
【図２７】
2011245181.tif 000030
【図２８】
2011245181.tif 000031
【図２９】
2011245181.tif 000032
【図３０】
2011245181.tif 000033
【図３１】
2011245181.tif 000034
【図３２】
2011245181.tif 000035
【図３３】
2011245181.tif 000036
【図３４】
2011245181.tif 000037
【図３５】
2011245181.tif 000038
【図３６】
2011245181.tif 000039
【図３７】
2011245181.tif 000040
【図３８】
2011245181.tif 000041
【図３９】
2011245181.tif 000042
【図４０】
2011245181.tif 000043
【図４１】
2011245181.tif 000044
【図４２】
2011245181.tif 000045
【図４３】
2011245181.tif 000046
【図４４】
2011245181.tif 000047
【手続補正書】
【提出日】平成23年5月10日(2011.5.10)
【手続補正１】
【補正対象書類名】特許請求の範囲
【補正対象項目名】請求項１
【補正方法】変更
【補正の内容】
【請求項１】
パチンコ遊技機の遊技領域とは反対面側である裏側に取り付けられる球払出機構であって、
球払出機構は、
遊技球を流下させるための通路であって、遊技機の裏側に取り付けられた遊技球貯留部から流下してきた当該遊技球を受け入れるための通路口である球導入口を有する第一供給通路と、
第一供給通路から流下してきた遊技球を保持するための球保持部が形成されている球払出用回転体と、
球払出用回転体を回転させるための球払出用モータと、
球払出用回転体が回転することにより球払出用回転体から払い出された遊技球を、球払出用回転体から更に流下させるための通路であって、当該球払出機構から当該遊技球を外部に供給するための通路口である球供給口を有する第二供給通路と
を有しており、第一供給通路、球払出用回転体、球払出用モータ及び第二供給通路が一のユニット又は複数のユニットの組み合わせとして形成されているユニット化球払出機構において、
第二供給通路は、第二供給通路の遊技球流下方向に対して垂直に切断した断面における中点の軌跡が同一平面上にはない、遊技機の裏側から眺めた際に左右及び前後に屈曲した形状を成すことを特徴とするユニット化球払出機構。
【手続補正書】
【提出日】平成23年8月25日(2011.8.25)
【手続補正１】
【補正対象書類名】特許請求の範囲
【補正対象項目名】全文
【補正方法】変更
【補正の内容】
【特許請求の範囲】
【請求項１】
パチンコ遊技機の遊技領域とは反対面側である裏側に取り付けられる球払出機構であって、
球払出機構は、
遊技機の裏側に取り付けられた遊技球貯留部からの遊技球を受け入れて当該遊技球を流下させるための第一供給通路と、
第一供給通路から流下してきた遊技球を保持するための球保持部が形成されている球払出用回転体と、
球払出用回転体を回転させるための球払出用モータと、
球払出用回転体が回転することにより球払出用回転体から払い出された遊技球を、球払出用回転体から更に流下させるための第二供給通路と
を有しており、第一供給通路、球払出用回転体、球払出用モータ及び第二供給通路が一のユニット又は複数のユニットの組み合わせとして形成されているユニット化球払出機構において、
第二供給通路は、第二供給通路の遊技球流下方向に対して垂直に切断した矩形断面における中点の軌跡が同一平面上にはない、遊技機の裏側から眺めた際に左右方向及び前後方向に屈曲した形状を成し、且つ、略同一箇所にて左右方向にも前後方向にも屈曲した屈曲部を有することを特徴とするユニット化球払出機構。
【手続補正２】
【補正対象書類名】明細書
【補正対象項目名】０００９
【補正方法】変更
【補正の内容】
【０００９】
本発明（１）は、
パチンコ遊技機の遊技領域とは反対面側である裏側に取り付けられる球払出機構であって、
球払出機構は、
遊技機の裏側に取り付けられた遊技球貯留部からの遊技球を受け入れて当該遊技球を流下させるための第一供給通路と、
第一供給通路から流下してきた遊技球を保持するための球保持部が形成されている球払出用回転体と、
球払出用回転体を回転させるための球払出用モータと、
球払出用回転体が回転することにより球払出用回転体から払い出された遊技球を、球払出用回転体から更に流下させるための第二供給通路と
を有しており、第一供給通路、球払出用回転体、球払出用モータ及び第二供給通路が一のユニット又は複数のユニットの組み合わせとして形成されているユニット化球払出機構において、
第二供給通路は、第二供給通路の遊技球流下方向に対して垂直に切断した矩形断面における中点の軌跡が同一平面上にはない、遊技機の裏側から眺めた際に左右方向及び前後方向に屈曲した形状を成し、且つ、略同一箇所にて左右方向にも前後方向にも屈曲した屈曲部を有することを特徴とするユニット化球払出機構
である。